(57)【要約】  移動通信システムは、サービングセルからの希望波信号を受信するとともに、他のユーザ端末への信号である干渉波信号を受信するユーザ端末と、前記サービングセルを管理する基地局と、を有する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末が受信する前記干渉レプリカ信号が、前記ユーザ端末が受信する前記干渉波信号を打ち消すように、前記干渉レプリカ信号を生成する。
2014098187.tif 000002
【特許請求の範囲】
【請求項１】
サービングセルからの希望波信号を受信するとともに、他のユーザ端末への信号である干渉波信号を受信するユーザ端末と、
前記サービングセルを管理する第１の基地局と、を有する移動通信システムであって、
前記第１の基地局は、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末が受信する前記干渉レプリカ信号が、前記ユーザ端末が受信する前記干渉波信号を打ち消すように、前記干渉レプリカ信号を生成することを特徴とする移動通信システム。
【請求項２】
前記他のユーザ端末は、前記サービングセルに隣接する隣接セルに接続し、
前記干渉波信号は、前記隣接セルからの信号であることを特徴とする請求項１に記載の移動通信システム。
【請求項３】
前記第１の基地局は、前記ユーザ端末が接続する前記サービングセル及び前記他のユーザ端末が接続する前記サービングセルに隣接する隣接セルを管理し、
前記送信部は、前記干渉波信号を前記他のユーザ端末に送信することを特徴とする請求項１に記載の移動通信システム。
【請求項４】
前記他のユーザ端末は、前記ユーザ端末が接続する前記サービングセルに在圏し、
前記送信部は、前記干渉波信号を前記他のユーザ端末に送信することを特徴とする請求項１に記載の移動通信システム。
【請求項５】
前記第１の基地局は、前記ユーザ端末との通信及び前記他のユーザ端末との通信のそれぞれの通信を管理し、
前記送信部は、前記干渉波信号を前記他のユーザ端末に送信することを特徴とする請求項１に記載の移動通信システム。
【請求項６】
前記制御部は、前記ユーザ端末が受信する前記干渉レプリカ信号の位相が、前記ユーザ端末が受信する前記干渉波信号の位相と逆になるように、前記干渉レプリカ信号を生成することを特徴とする請求項１に記載の移動通信システム。
【請求項７】
前記制御部は、前記ユーザ端末が受信する前記干渉レプリカ信号の振幅が、前記ユーザ端末が受信する前記干渉波信号の振幅と同じになるように、前記干渉レプリカ信号を生成することを特徴とする請求項６に記載の移動通信システム。
【請求項８】
前記第１の基地局は、前記サービングセルと対応付けられた少なくとも１つのアンテナを含み、
前記制御部は、前記アンテナの数に基づいて、前記干渉レプリカ信号を前記希望波信号に重畳する重畳送信を適用するか否かを判定することを特徴とする請求項１に記載の移動通信システム。
【請求項９】
前記制御部は、前記ユーザ端末における受信信号状態に基づいて、前記干渉レプリカ信号を前記希望波信号に重畳する重畳送信を適用するか否かを判定することを特徴とする請求項１に記載の移動通信システム。
【請求項１０】
前記制御部は、前記移動通信システムにおける無線リソースの使用状況に基づいて、前記干渉レプリカ信号を前記希望波信号に重畳する重畳送信を適用するか否かを判定することを特徴とする請求項１に記載の移動通信システム。
【請求項１１】
前記制御部は、前記ユーザ端末が必要とするＱｏＳに基づいて、前記干渉レプリカ信号を前記希望波信号に重畳する重畳送信を適用するか否かを判定することを特徴とする請求項１に記載の移動通信システム。
【請求項１２】
前記第１の基地局を管理する管理装置をさらに有し、
前記第１の基地局は、前記干渉レプリカ信号の生成に使用される情報を、前記管理装置及び前記ユーザ端末のうち少なくとも１つから受信する受信部を含み、
前記制御部は、前記受信部が受信した情報に基づいて前記干渉レプリカ信号を生成することを特徴とする請求項１に記載の移動通信システム。
【請求項１３】
前記隣接セルを管理する第２の基地局をさらに有し、
前記管理装置は、前記第２の基地局を管理し、
前記受信部は、前記干渉レプリカ信号の生成に使用される情報を、前記第２の基地局、前記管理装置、及び前記ユーザ端末のうち少なくとも１つから受信することを特徴とする請求項１２に記載の移動通信システム。
【請求項１４】
前記干渉レプリカ信号の生成に使用される情報は、前記干渉波信号の信号波形に関する波形情報を含み、
前記第２の基地局は、前記波形情報を前記第１の基地局に送信し、
前記受信部は、前記波形情報を受信することを特徴とする請求項１３に記載の移動通信システム。
【請求項１５】
前記制御部は、前記希望波信号の送信に使用する無線リソースを示すリソース情報を前記第２の基地局に送信し、
前記第２の基地局は、前記リソース情報に基づいて、前記波形情報を前記第１の基地局に送信することを特徴とする請求項１４に記載の移動通信システム。
【請求項１６】
前記干渉レプリカ信号の生成に使用される情報は、前記第２の基地局において前記干渉波信号に変換される前の送信データを含み、
前記第２の基地局は、前記送信データを前記第１の基地局に送信し、
前記受信部は、前記第２の基地局から前記送信データを受信することを特徴とする請求項１３に記載の移動通信システム。
【請求項１７】
前記干渉レプリカ信号の生成に使用される情報は、前記第２の基地局において前記送信データを前記干渉波信号に変換する際の送信処理の内容を示す送信処理情報をさらに含み、
前記第２の基地局は、前記送信処理情報を前記第１の基地局にさらに送信し、
前記受信部は、前記第２の基地局から前記送信処理情報をさらに受信することを特徴とする請求項１６に記載の移動通信システム。
【請求項１８】
前記干渉レプリカ信号の生成に使用される情報は、前記第２の基地局において前記干渉波信号に変換される前の送信データを含み、
前記管理装置は、前記送信データを前記第１の基地局に送信し、
前記受信部は、前記管理装置から前記送信データを受信することを特徴とする請求項１３に記載の移動通信システム。
【請求項１９】
前記干渉レプリカ信号の生成に使用される情報は、前記第２の基地局において前記送信データを前記干渉波信号に変換する際の送信処理の内容を示す送信処理情報をさらに含み、
前記第２の基地局は、前記送信処理情報を前記第１の基地局に送信し、
前記受信部は、前記第２の基地局から前記送信処理情報を受信することを特徴とする請求項１８に記載の移動通信システム。
【請求項２０】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の振幅差又は位相差の少なくとも一方を示す差情報であり、
前記第２の基地局は、前記差情報を前記第１の基地局に送信し、
前記受信部は、前記第２の基地局から前記差情報を受信することを特徴とする請求項１３に記載の移動通信システム。
【請求項２１】
前記干渉レプリカ信号の生成に使用される情報は、前記ユーザ端末が前記第２の基地局から受信する参照信号についての受信電力を示す受信電力情報であり、
前記ユーザ端末は、前記受信電力情報を前記第２の基地局に送信し、
前記第２の基地局は、前記受信電力情報を前記第１の基地局に転送し、
前記受信部は、前記第２の基地局から前記受信電力情報を受信することを特徴とする請求項１３に記載の移動通信システム。
【請求項２２】
前記干渉レプリカ信号の生成に使用される情報は、前記ユーザ端末が前記第２の基地局から受信する参照信号についての受信電力を示す受信電力情報であり、
前記ユーザ端末は、前記受信電力情報を前記第１の基地局に送信し、
前記受信部は、前記ユーザ端末から前記受信電力情報を受信することを特徴とする請求項１３に記載の移動通信システム。
【請求項２３】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の電力差を示す電力差情報であり、
前記ユーザ端末は、前記電力差情報を前記第１の基地局に送信し、
前記受信部は、前記ユーザ端末から前記電力差情報を受信することを特徴とする請求項１３に記載の移動通信システム。
【請求項２４】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の電力差を示す電力差情報であり、
前記第２の基地局は、前記電力差情報を前記第１の基地局に送信し、
前記受信部は、前記第２の基地局から前記電力差情報を受信することを特徴とする請求項１３に記載の移動通信システム。
【請求項２５】
前記干渉レプリカ信号の生成に使用される情報は、前記第１の基地局から前記ユーザ端末までの遅延時間と、前記第２の基地局から前記ユーザ端末までの遅延時間と、の間の遅延時間差を示す時間差情報であり、
前記ユーザ端末は、前記時間差情報を前記第１の基地局に送信し、
前記受信部は、前記ユーザ端末から前記時間差情報を受信することを特徴とする請求項１３に記載の移動通信システム。
【請求項２６】
前記干渉レプリカ信号の生成に使用される情報は、前記第２の基地局と前記ユーザ端末との間のチャネル特性を示すチャネル情報であり、
前記受信部は、前記第２の基地局及び前記ユーザ端末のうち少なくとも一方から前記チャネル情報を受信し、
前記制御部は、前記受信部が受信した前記チャネル情報に基づいて、前記干渉レプリカ信号を生成することを特徴とする請求項１３に記載の移動通信システム。
【請求項２７】
前記ユーザ端末は、前記第２の基地局から受信した参照信号に基づいて前記チャネル情報を生成し、生成したチャネル情報を前記第１の基地局に送信し、
前記受信部は、前記ユーザ端末から前記チャネル情報を受信することを特徴とする請求項２６に記載の移動通信システム。
【請求項２８】
前記ユーザ端末は、前記第２の基地局から受信した参照信号に基づいて前記チャネル情報を生成し、生成したチャネル情報を前記第２の基地局に送信し、
前記第２の基地局は、前記ユーザ端末からの前記チャネル情報を前記第１の基地局に転送し、
前記受信部は、前記第２の基地局から前記チャネル情報を受信することを特徴とする請求項２６に記載の移動通信システム。
【請求項２９】
前記第１の基地局は、チャネル特性の推定対象とすべきセルを示すセル指定情報を前記ユーザ端末に送信し、
前記ユーザ端末は、前記セル指定情報が示すセルについてチャネル特性を推定することにより、前記チャネル情報を生成することを特徴とする請求項２７又は２８に記載の移動通信システム。
【請求項３０】
前記第２の基地局は、前記ユーザ端末から受信した参照信号に基づいて前記チャネル情報を生成し、生成したチャネル情報を前記第１の基地局に送信し、
前記受信部は、前記第２の基地局から前記チャネル情報を受信することを特徴とする請求項２６に記載の移動通信システム。
【請求項３１】
前記第１の基地局は、チャネル特性の推定対象とすべきユーザ端末を示す端末指定情報を前記第２の基地局に送信し、
前記第２の基地局は、前記端末指定情報が示す前記ユーザ端末についてチャネル特性を推定することにより、前記チャネル情報を生成することを特徴とする請求項３０に記載の移動通信システム。
【請求項３２】
前記第１の基地局は、前記ユーザ端末が送信する前記参照信号を復調するための復調用情報を前記第２の基地局に送信し、
前記第２の基地局は、前記復調用情報を用いて前記参照信号を復調することにより、前記チャネル情報を生成することを特徴とする請求項３０に記載の移動通信システム。
【請求項３３】
サービングセルからの希望波信号を受信するとともに、他のユーザ端末への信号である干渉波信号を受信するユーザ端末と、前記サービングセルを管理する第１の基地局と、を有する移動通信システムにおいて用いられる通信制御方法であって、
前記第１の基地局において、
前記干渉波信号に対応する干渉レプリカ信号を生成する生成ステップと、
前記干渉レプリカ信号を前記希望波信号に重畳する重畳ステップと、
前記干渉レプリカ信号が重畳された前記希望波信号を前記ユーザ端末に送信する送信ステップと、を含み、
前記生成ステップにおいて、前記ユーザ端末が受信する前記干渉レプリカ信号が、前記ユーザ端末が受信する前記干渉波信号を打ち消すように、前記干渉レプリカ信号を生成することを特徴とする通信制御方法。
【請求項３４】
前記移動通信システムは、前記サービングセルに隣接し前記他のユーザ端末が接続する隣接セルを管理する第２の基地局と、前記第１の基地局及び前記第２の基地局を管理する管理装置と、をさらに有し、
前記通信制御方法は、
前記第１の基地局において、
前記干渉レプリカ信号の生成に使用される情報を、前記第２の基地局、前記管理装置、及び前記ユーザ端末のうち少なくとも１つから受信する受信ステップを含み、
前記生成ステップにおいて、前記受信ステップで受信した情報に基づいて前記干渉レプリカ信号を生成することを特徴とする請求項３３に記載の通信制御方法。
【請求項３５】
前記干渉レプリカ信号の生成に使用される情報は、前記第２の基地局と前記ユーザ端末との間のチャネル特性を示すチャネル情報であることを特徴とする請求項３４に記載の通信制御方法。
【請求項３６】
サービングセルからの希望波信号を受信するとともに、他のユーザ端末への信号である干渉波信号を受信するユーザ端末を有する移動通信システムにおいて、前記サービングセルを管理する基地局であって、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末が受信する前記干渉レプリカ信号が、前記ユーザ端末が受信する前記干渉波信号を打ち消すように、前記干渉レプリカ信号を生成することを特徴とする基地局。
【請求項３７】
前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信する受信部をさらに含み、
前記制御部は、前記受信部が受信した情報に基づいて前記干渉レプリカ信号を生成することを特徴とする請求項３６に記載の基地局。
【請求項３８】
前記干渉レプリカ信号の生成に使用される情報は、前記他基地局と前記ユーザ端末との間のチャネル特性を示すチャネル情報であることを特徴とする請求項３７に記載の基地局。
【請求項３９】
サービングセルからの希望波信号を受信するとともに、前記サービングセルに隣接する隣接セルからの干渉波信号を受信するユーザ端末を有する移動通信システムにおいて、前記隣接セルを管理する基地局であって、
前記サービングセルを管理する他基地局は、前記干渉波信号に対応する干渉レプリカ信号を前記希望波信号に重畳して送信しており、
前記基地局は、前記干渉レプリカ信号の生成に使用される情報を、前記他基地局に送信する送信部を含むことを特徴とする基地局。
【請求項４０】
前記干渉レプリカ信号の生成に使用される情報は、前記基地局と前記ユーザ端末との間のチャネル特性を示すチャネル情報であることを特徴とする請求項３９に記載の基地局。
【請求項４１】
サービングセルからの希望波信号を受信するとともに、他のユーザ端末への信号である干渉波信号を受信するユーザ端末であって、
前記サービングセルを管理する第１の基地局は、前記干渉波信号に対応する干渉レプリカ信号を前記希望波信号に重畳して送信しており、
前記ユーザ端末は、前記干渉レプリカ信号の生成に使用される情報を、前記第１の基地局に送信する送信部を含むことを特徴とするユーザ端末。
【請求項４２】
前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報であることを特徴とする請求項４１に記載のユーザ端末。
【請求項４３】
サービングセルからの希望波信号を受信するとともに、他のユーザ端末への信号である干渉波信号を受信するユーザ端末を有する移動通信システムにおいて、前記サービングセルを管理する基地局に備えられるプロセッサであって、
前記干渉波信号に対応する干渉レプリカ信号を生成する生成処理と、
前記干渉レプリカ信号を前記希望波信号に重畳する重畳処理と、
前記干渉レプリカ信号が重畳された前記希望波信号を前記ユーザ端末に送信するための送信処理と、を実行し、
前記生成処理において、前記ユーザ端末が受信する前記干渉レプリカ信号が、前記ユーザ端末が受信する前記干渉波信号を打ち消すように、前記干渉レプリカ信号を生成することを特徴とするプロセッサ。
【請求項４４】
前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信するための受信処理をさらに実行し、
前記生成処理において、前記受信した情報に基づいて前記干渉レプリカ信号を生成することを特徴とする請求項４３に記載のプロセッサ。
【請求項４５】
前記干渉レプリカ信号の生成に使用される情報は、前記他基地局と前記ユーザ端末との間のチャネル特性を示すチャネル情報であることを特徴とする請求項４４に記載のプロセッサ。
【請求項４６】
サービングセルからの希望波信号を受信するとともに、前記サービングセルに隣接する隣接セルからの干渉波信号を受信するユーザ端末を有する移動通信システムにおいて、前記隣接セルを管理する基地局に備えられるプロセッサであって、
前記サービングセルを管理する他基地局は、前記干渉波信号に対応する干渉レプリカ信号を前記希望波信号に重畳して送信しており、
前記プロセッサは、前記干渉レプリカ信号の生成に使用される情報を、前記他基地局に送信するための処理を行うことを特徴とするプロセッサ。
【請求項４７】
前記干渉レプリカ信号の生成に使用される情報は、前記基地局と前記ユーザ端末との間のチャネル特性を示すチャネル情報であることを特徴とする請求項４６に記載のプロセッサ。
【請求項４８】
サービングセルからの希望波信号を受信するとともに、他のユーザ端末への信号である干渉波信号を受信するユーザ端末に備えられるプロセッサであって、
前記サービングセルを管理する第１の基地局は、前記干渉波信号に対応する干渉レプリカ信号を前記希望波信号に重畳して送信しており、
前記プロセッサは、前記干渉レプリカ信号の生成に使用される情報を、前記第１の基地局に送信するための処理を行うことを特徴とするプロセッサ。
【請求項４９】
前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報であることを特徴とする請求項４８に記載のプロセッサ。
【発明の詳細な説明】
【技術分野】
【０００１】
本発明は、ＣｏＭＰをサポートする移動通信システム、通信制御方法、基地局、ユーザ端末、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１１以降において、ＣｏＭＰ（Ｃｏｏｒｄｉｎａｔｅｄ  Ｍｕｌｔｉ−Ｐｏｉｎｔ）の標準化が進められる予定である（非特許文献１参照）。ＣｏＭＰは、同一の場所にある送受信点（基地局又はセル）を１つの「ポイント」と位置付け、複数のポイントが協調してユーザ端末との通信を行う通信形態である。【０００３】
下りリンクのＣｏＭＰの方式としては、ＪＴ（Ｊｏｉｎｔ  Ｔｒａｎｓｍｉｓｓｉｏｎ）、ＤＰＳ（Ｄｙｎａｍｉｃ  Ｐｏｉｎｔ  Ｓｅｌｅｃｔｉｏｎ）、ＣＳ（Ｃｏｏｒｄｉｎａｔｅｄ  Ｓｃｈｅｄｕｌｉｎｇ）、ＣＢ（Ｃｏｏｒｄｉｎａｔｅｄ  Ｂｅａｍｆｏｒｍｉｎｇ）が提案されている。【０００４】
ＪＴ−ＣｏＭＰは、複数のポイントが、同一の無線リソースを使用して、ユーザ端末に対して一斉に送信を行う方式である。ＤＰＳ−ＣｏＭＰ及びＣＳ−ＣｏＭＰは、複数のポイントが、同一の無線リソースを確保して、ユーザ端末に対して選択的に送信を行う方式である。ＣＢ−ＣｏＭＰは、複数のポイントが、送信ビームのビームフォーミング／ヌルステアリングを協調して実施する方式である。
【先行技術文献】
【非特許文献】
【０００５】
【非特許文献１】３ＧＰＰ技術報告  「ＴＲ  ３６．８１９  Ｖ１１．１．０」  ２０１１年１２月
【発明の概要】
【０００６】
しかしながら、上述したＣｏＭＰの各方式には、以下のような問題がある。
【０００７】
ＪＴ−ＣｏＭＰ、ＤＰＳ−ＣｏＭＰ、及びＣＳ−ＣｏＭＰは、１つのユーザ端末に対して各ポイントで無線リソースが消費されるため、無線リソースの利用効率が低下する問題がある。
【０００８】
ＣＢ−ＣｏＭＰは、無線リソースの利用効率の低下を抑制できるものの、各ポイントが複数のアンテナを有している必要があり、各ポイントのコスト（機器コスト及び設置コスト）が高いという問題がある。
【０００９】
そこで、本発明は、上述した問題点を解消できる新たなＣｏＭＰの方式を実現する移動通信システム、通信制御方法、基地局、ユーザ端末、及びプロセッサを提供する。
【００１０】
一実施形態に係る移動通信システムは、サービングセルからの希望波信号を受信するとともに、他のユーザ端末への信号である干渉波信号を受信するユーザ端末と、前記サービングセルを管理する第１の基地局と、を有する。前記第１の基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末が受信する前記干渉レプリカ信号が、前記ユーザ端末が受信する前記干渉波信号を打ち消すように、前記干渉レプリカ信号を生成する。
【図面の簡単な説明】
【００１１】
【図１】第１実施形態及び第２実施形態に係るＬＴＥシステムの構成図である。
【図２】第１実施形態及び第２実施形態に係るＵＥのブロック図である。
【図３】第１実施形態及び第２実施形態に係るｅＮＢのブロック図である。
【図４】ＬＴＥシステムにおける無線インターフェイスのプロトコルスタック図である。
【図５】ＬＴＥシステムで使用される無線フレームの構成図である。
【図６】下りリンクで使用される無線フレームの構成図である。
【図７】第１実施形態及び第２実施形態に係る協調型干渉キャンセル方式の概要を説明するための図である。
【図８】第１実施形態及び第２実施形態に係る協調型干渉キャンセル方式を実現するためのｅＮＢのブロック図である。
【図９】第１実施形態に係る動作パターン１のシーケンス図である。
【図１０】第１実施形態に係るチャネル情報２を取得するための動作例１のシーケンス図である。
【図１１】第１実施形態に係るチャネル情報２を取得するための動作例２のシーケンス図である。
【図１２】第１実施形態に係るチャネル情報２を取得するための動作例３のシーケンス図である。
【図１３】第１実施形態に係る動作パターン２のシーケンス図である。
【図１４】第１実施形態に係る動作パターン３のシーケンス図である。
【図１５】第１実施形態に係る動作パターン４のシーケンス図である。
【図１６】第１実施形態に係る動作パターン５のシーケンス図である。
【図１７】第１実施形態に係る動作パターン６のシーケンス図である。
【図１８】第１実施形態に係る動作パターン７のシーケンス図である。
【図１９】第１実施形態に係る動作パターン８のシーケンス図である。
【図２０】第２実施形態に係る動作パターン１のシーケンス図である。
【図２１】第２実施形態に係る動作パターン２のシーケンス図である。
【図２２】第２実施形態に係る動作パターン３のシーケンス図である。
【図２３】第２実施形態に係る動作パターン４のシーケンス図である。
【図２４】第２実施形態に係る動作パターン５のシーケンス図である。
【発明を実施するための形態】
【００１２】
［実施形態の概要］
実施形態に係る移動通信システムは、サービングセルからの希望波信号を受信するとともに、他のユーザ端末への信号である干渉波信号を受信するユーザ端末と、前記サービングセルを管理する第１の基地局と、を有する。前記第１の基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末が受信する前記干渉レプリカ信号が、前記ユーザ端末が受信する前記干渉波信号を打ち消すように、前記干渉レプリカ信号を生成する。
【００１３】
このような方式によれば、ユーザ端末における干渉波信号の受信電力を低下させることができるため、希望波対干渉波比（ＳＩＲ；Ｓｉｇｎａｌ−ｔｏ−Ｉｎｔｅｒｆｅｒｅｎｃｅ  Ｒａｔｉｏ）を改善できる。さらに、基地局が複数のアンテナを有していない場合、すなわち、ビームフォーミング／ヌルステアリングが不能な場合であっても、本方式を適用可能である。
【００１４】
実施形態では、前記他のユーザ端末は、前記サービングセルに隣接する隣接セルに接続し、前記干渉波信号は、前記隣接セルからの信号である。これにより、隣接セルにおいて当該ユーザ端末のために無線リソースを確保する必要がないため、ＪＴ−ＣｏＭＰ、ＤＰＳ−ＣｏＭＰ、及びＣＳ−ＣｏＭＰに比べて、無線リソースの利用効率を改善できる。
【００１５】
実施形態では、前記第１の基地局は、前記ユーザ端末が接続する前記サービングセル及び前記他のユーザ端末が接続する前記サービングセルに隣接する隣接セルを管理し、前記送信部は、前記干渉波信号を前記他のユーザ端末に送信する。
【００１６】
実施形態では、前記他のユーザ端末は、前記ユーザ端末が接続する前記サービングセルに在圏し、前記送信部は、前記干渉波信号を前記他のユーザ端末に送信する。
【００１７】
実施形態では、前記第１の基地局は、前記ユーザ端末との通信及び前記他のユーザ端末との通信のそれぞれの通信を管理し、前記送信部は、前記干渉波信号を前記他のユーザ端末に送信する。
【００１８】
実施形態では、前記制御部は、前記ユーザ端末が受信する前記干渉レプリカ信号の位相が、前記ユーザ端末が受信する前記干渉波信号の位相と逆になるように、前記干渉レプリカ信号を生成する。
【００１９】
実施形態では、前記制御部は、前記ユーザ端末が受信する前記干渉レプリカ信号の振幅が、前記ユーザ端末が受信する前記干渉波信号の振幅と同じになるように、前記干渉レプリカ信号を生成する。
【００２０】
実施形態では、前記第１の基地局は、前記サービングセルと対応付けられた少なくとも１つのアンテナを含む。前記制御部は、前記アンテナの数に基づいて、前記干渉レプリカ信号を前記希望波信号に重畳する重畳送信を適用するか否かを判定する。
【００２１】
実施形態では、前記制御部は、前記ユーザ端末における受信信号状態に基づいて、前記干渉レプリカ信号を前記希望波信号に重畳する重畳送信を適用するか否かを判定する。
【００２２】
実施形態では、前記制御部は、前記移動通信システムにおける無線リソースの使用状況に基づいて、前記干渉レプリカ信号を前記希望波信号に重畳する重畳送信を適用するか否かを判定する。
【００２３】
実施形態では、前記制御部は、前記ユーザ端末が必要とするＱｏＳに基づいて、前記干渉レプリカ信号を前記希望波信号に重畳する重畳送信を適用するか否かを判定する。
【００２４】
実施形態では、前記移動通信システムは、前記第１の基地局を管理する管理装置をさらに有する。前記第１の基地局は、前記干渉レプリカ信号の生成に使用される情報を、前記管理装置、及び前記ユーザ端末のうち少なくとも１つから受信する受信部を含む。前記制御部は、前記受信部が受信した情報に基づいて前記干渉レプリカ信号を生成する。
【００２５】
実施形態では、前記移動通信システムは、前記隣接セルを管理する第２の基地局をさらに有し、前記管理装置は、前記第２の基地局を管理し、前記受信部は、前記干渉レプリカ信号の生成に使用される情報を、前記第２の基地局、前記管理装置、及び前記ユーザ端末のうち少なくとも１つから受信する。
【００２６】
実施形態では、前記干渉レプリカ信号の生成に使用される情報は、前記干渉波信号の信号波形に関する波形情報を含む。前記第２の基地局は、前記波形情報を前記第１の基地局に送信する。前記受信部は、前記波形情報を受信する。
【００２７】
実施形態では、前記制御部は、前記希望波信号の送信に使用する無線リソースを示すリソース情報を前記第２の基地局に送信する。前記第２の基地局は、前記リソース情報に基づいて、前記波形情報を前記第１の基地局に送信する。
【００２８】
実施形態では、前記干渉レプリカ信号の生成に使用される情報は、前記第２の基地局において前記干渉波信号に変換される前の送信データを含む。前記第２の基地局は、前記送信データを前記第１の基地局に送信する。前記受信部は、前記第２の基地局から前記送信データを受信する。
【００２９】
実施形態では、前記干渉レプリカ信号の生成に使用される情報は、前記第２の基地局において前記送信データを前記干渉波信号に変換する際の送信処理の内容を示す送信処理情報をさらに含む。前記第２の基地局は、前記送信処理情報を前記第１の基地局にさらに送信する。前記受信部は、前記第２の基地局から前記送信処理情報をさらに受信する。
【００３０】
実施形態では、前記干渉レプリカ信号の生成に使用される情報は、前記第２の基地局において前記干渉波信号に変換される前の送信データを含む。前記管理装置は、前記送信データを前記第１の基地局に送信する。前記受信部は、前記管理装置から前記送信データを受信する。
【００３１】
実施形態では、前記干渉レプリカ信号の生成に使用される情報は、前記第２の基地局において前記送信データを前記干渉波信号に変換する際の送信処理の内容を示す送信処理情報をさらに含む。前記第２の基地局は、前記送信処理情報を前記第１の基地局に送信する。前記受信部は、前記第２の基地局から前記送信処理情報を受信する。
【００３２】
実施形態では、前記干渉波信号は、物理下りリンク共有チャネル上で送信されるデータ信号を含む。前記干渉レプリカ信号の生成に使用される情報は、前記第２の基地局が送信する参照信号と前記データ信号との間の振幅差又は位相差の少なくとも一方を示す差情報である。前記第２の基地局は、前記差情報を前記第１の基地局に送信する。前記受信部は、前記第２の基地局から前記差情報を受信する。
【００３３】
実施形態では、前記干渉レプリカ信号の生成に使用される情報は、前記ユーザ端末が前記第２の基地局から受信する参照信号についての受信電力を示す受信電力情報である。前記ユーザ端末は、前記受信電力情報を前記第２の基地局に送信する。前記第２の基地局は、前記受信電力情報を前記第１の基地局に転送する。前記受信部は、前記第２の基地局から前記受信電力情報を受信する。
【００３４】
実施形態では、前記干渉レプリカ信号の生成に使用される情報は、前記ユーザ端末が前記第２の基地局から受信する参照信号についての受信電力を示す受信電力情報である。前記ユーザ端末は、前記受信電力情報を前記第１の基地局に送信する。前記受信部は、前記ユーザ端末から前記受信電力情報を受信する。
【００３５】
実施形態では、前記干渉波信号は、物理下りリンク共有チャネル上で送信されるデータ信号を含む。前記干渉レプリカ信号の生成に使用される情報は、前記第２の基地局が送信する参照信号と前記データ信号との間の電力差を示す電力差情報である。前記ユーザ端末は、前記電力差情報を前記第１の基地局に送信する。前記受信部は、前記ユーザ端末から前記電力差情報を受信する。
【００３６】
実施形態では、前記干渉波信号は、物理下りリンク共有チャネル上で送信されるデータ信号を含む。前記干渉レプリカ信号の生成に使用される情報は、前記第２の基地局が送信する参照信号と前記データ信号との間の電力差を示す電力差情報である。前記第２の基地局は、前記電力差情報を前記第１の基地局に送信する。前記受信部は、前記第２の基地局から前記電力差情報を受信する。
【００３７】
実施形態では、前記干渉レプリカ信号の生成に使用される情報は、前記第１の基地局から前記ユーザ端末までの遅延時間と、前記第２の基地局から前記ユーザ端末までの遅延時間と、の間の遅延時間差を示す時間差情報である。前記ユーザ端末は、前記時間差情報を前記第１の基地局に送信する。前記受信部は、前記ユーザ端末から前記時間差情報を受信する。
【００３８】
実施形態では、前記干渉レプリカ信号の生成に使用される情報は、前記第２の基地局と前記ユーザ端末との間のチャネル特性を示すチャネル情報である。前記受信部は、前記第２の基地局及び前記ユーザ端末のうち少なくとも一方から前記チャネル情報を受信する。前記制御部は、前記受信部が受信した前記チャネル情報に基づいて、前記干渉レプリカ信号を生成する。
【００３９】
実施形態では、前記ユーザ端末は、前記第２の基地局から受信した参照信号に基づいて前記チャネル情報を生成し、生成したチャネル情報を前記第１の基地局に送信する。前記受信部は、前記ユーザ端末から前記チャネル情報を受信する。
【００４０】
実施形態では、前記ユーザ端末は、前記第２の基地局から受信した参照信号に基づいて前記チャネル情報を生成し、生成したチャネル情報を前記第２の基地局に送信する。前記第２の基地局は、前記ユーザ端末からの前記チャネル情報を前記第１の基地局に転送する。前記受信部は、前記第２の基地局から前記チャネル情報を受信する。
【００４１】
実施形態では、前記第１の基地局は、チャネル特性の推定対象とすべきセルを示すセル指定情報を前記ユーザ端末に送信する。前記ユーザ端末は、前記セル指定情報が示すセルについてチャネル特性を推定することにより、前記チャネル情報を生成する。
【００４２】
実施形態では、前記第２の基地局は、前記ユーザ端末から受信した参照信号に基づいて前記チャネル情報を生成し、生成したチャネル情報を前記第１の基地局に送信する。前記受信部は、前記第２の基地局から前記チャネル情報を受信する。
【００４３】
実施形態では、前記第１の基地局は、チャネル特性の推定対象とすべきユーザ端末を示す端末指定情報を前記第２の基地局に送信する。前記第２の基地局は、前記端末指定情報が示す前記ユーザ端末についてチャネル特性を推定することにより、前記チャネル情報を生成する。
【００４４】
実施形態では、前記第１の基地局は、前記ユーザ端末が送信する前記参照信号を復調するための復調用情報を前記第２の基地局に送信する。前記第２の基地局は、前記復調用情報を用いて前記参照信号を復調することにより、前記チャネル情報を生成する。
【００４５】
実施形態に係る通信制御方法は、サービングセルからの希望波信号を受信するとともに、他のユーザ端末への信号である干渉波信号を受信するユーザ端末と、前記サービングセルを管理する第１の基地局と、を有する移動通信システムにおいて用いられる。前記通信制御方法は、前記第１の基地局において、前記干渉波信号に対応する干渉レプリカ信号を生成する生成ステップと、前記干渉レプリカ信号を前記希望波信号に重畳する重畳ステップと、前記干渉レプリカ信号が重畳された前記希望波信号を前記ユーザ端末に送信する送信ステップと、を含む。前記生成ステップにおいて、前記ユーザ端末が受信する前記干渉レプリカ信号が、前記ユーザ端末が受信する前記干渉波信号を打ち消すように、前記干渉レプリカ信号を生成する。
【００４６】
実施形態では、前記移動通信システムは、前記サービングセルに隣接し前記他のユーザ端末が接続する隣接セルを管理する第２の基地局と、前記第１の基地局及び前記第２の基地局を管理する管理装置と、をさらに有する。前記通信制御方法は、前記第１の基地局において、前記干渉レプリカ信号の生成に使用される情報を、前記第２の基地局、前記管理装置、及び前記ユーザ端末のうち少なくとも１つから受信する受信ステップを含む。前記生成ステップにおいて、前記受信ステップで受信した情報に基づいて前記干渉レプリカ信号を生成する。
【００４７】
実施形態では、前記干渉レプリカ信号の生成に使用される情報は、前記第２の基地局と前記ユーザ端末との間のチャネル特性を示すチャネル情報である。
【００４８】
実施形態に係る基地局は、サービングセルからの希望波信号を受信するとともに、他のユーザ端末への信号である干渉波信号を受信するユーザ端末を有する移動通信システムにおいて、前記サービングセルを管理する。前記基地局は、前記干渉波信号に対応する干渉レプリカ信号を生成し、前記干渉レプリカ信号を前記希望波信号に重畳する制御部と、前記干渉レプリカ信号が重畳された前記希望波信号を前記ユーザ端末に送信する送信部と、を含む。前記制御部は、前記ユーザ端末が受信する前記干渉レプリカ信号が、前記ユーザ端末が受信する前記干渉波信号を打ち消すように、前記干渉レプリカ信号を生成する。
【００４９】
実施形態では、前記基地局は、前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信する受信部をさらに含む。前記制御部は、前記受信部が受信した情報に基づいて前記干渉レプリカ信号を生成する。
【００５０】
実施形態では、前記干渉レプリカ信号の生成に使用される情報は、前記他基地局と前記ユーザ端末との間のチャネル特性を示すチャネル情報である。
【００５１】
実施形態に係る基地局は、サービングセルからの希望波信号を受信するとともに、前記サービングセルに隣接する隣接セルからの干渉波信号を受信するユーザ端末を有する移動通信システムにおいて、前記隣接セルを管理する。前記サービングセルを管理する他基地局は、前記干渉波信号に対応する干渉レプリカ信号を前記希望波信号に重畳して送信している。前記基地局は、前記干渉レプリカ信号の生成に使用される情報を、前記他基地局に送信する送信部を含む。
【００５２】
実施形態では、前記干渉レプリカ信号の生成に使用される情報は、前記基地局と前記ユーザ端末との間のチャネル特性を示すチャネル情報である。
【００５３】
実施形態に係るユーザ端末は、サービングセルからの希望波信号を受信するとともに、他のユーザ端末への信号である干渉波信号を受信する。前記サービングセルを管理する第１の基地局は、前記干渉波信号に対応する干渉レプリカ信号を前記希望波信号に重畳して送信している。前記ユーザ端末は、前記干渉レプリカ信号の生成に使用される情報を、前記第１の基地局に送信する送信部を含む。
【００５４】
実施形態では、前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報である。
【００５５】
実施形態に係るプロセッサは、サービングセルからの希望波信号を受信するとともに、他のユーザ端末への信号である干渉波信号を受信するユーザ端末を有する移動通信システムにおいて、前記サービングセルを管理する基地局に備えられる。前記プロセッサは、前記干渉波信号に対応する干渉レプリカ信号を生成する生成処理と、前記干渉レプリカ信号を前記希望波信号に重畳する重畳処理と、前記干渉レプリカ信号が重畳された前記希望波信号を前記ユーザ端末に送信するための送信処理と、を実行する。前記生成処理において、前記ユーザ端末が受信する前記干渉レプリカ信号が、前記ユーザ端末が受信する前記干渉波信号を打ち消すように、前記干渉レプリカ信号を生成する。
【００５６】
実施形態では、前記プロセッサは、前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信するための受信処理をさらに実行する。前記生成処理において、前記受信した情報に基づいて前記干渉レプリカ信号を生成する。
【００５７】
実施形態では、前記干渉レプリカ信号の生成に使用される情報は、前記他基地局と前記ユーザ端末との間のチャネル特性を示すチャネル情報である。
【００５８】
実施形態に係るプロセッサは、サービングセルからの希望波信号を受信するとともに、前記サービングセルに隣接する隣接セルからの干渉波信号を受信するユーザ端末を有する移動通信システムにおいて、前記隣接セルを管理する基地局に備えられる。前記サービングセルを管理する他基地局は、前記干渉波信号に対応する干渉レプリカ信号を前記希望波信号に重畳して送信している。前記プロセッサは、前記干渉レプリカ信号の生成に使用される情報を、前記他基地局に送信するための処理を行う。
【００５９】
実施形態では、前記干渉レプリカ信号の生成に使用される情報は、前記基地局と前記ユーザ端末との間のチャネル特性を示すチャネル情報である。
【００６０】
実施形態に係るプロセッサは、サービングセルからの希望波信号を受信するとともに、他のユーザ端末への信号である干渉波信号を受信するユーザ端末に備えられる。前記サービングセルを管理する第１の基地局は、前記干渉波信号に対応する干渉レプリカ信号を前記希望波信号に重畳して送信している。前記プロセッサは、前記干渉レプリカ信号の生成に使用される情報を、前記第１の基地局に送信するための処理を行う。
【００６１】
実施形態では、前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報である。
【００６２】
［第１実施形態］
以下、図面を参照して、３ＧＰＰ規格に準拠して構成される移動通信システム（ＬＴＥシステム）に本発明を適用する一実施形態について説明する。
【００６３】
（ＬＴＥシステム）
図１は、本実施形態に係るＬＴＥシステムの構成図である。
【００６４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。ＥＰＣ２０は、コアネットワークに相当する。
【００６５】
ＵＥ１００は、移動型の無線通信装置であり、接続を確立したセル（サービングセル）との無線通信を行う。ＵＥ１００はユーザ端末に相当する。
【００６６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。
【００６７】
なお、「セル」は、無線通信エリアの最小単位を示す用語として使用される他に、ＵＥ１００との無線通信を行う機能を示す用語としても使用される。
【００６８】
ｅＮＢ２００は、無線リソース管理（ＲＲＭ）機能と、ユーザデータのルーティング機能と、モビリティ制御及びスケジューリングのための測定制御機能と、を有する。
【００６９】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。
【００７０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００７１】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００７２】
次に、ＵＥ１００及びｅＮＢ２００の構成を説明する。
【００７３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００７４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００７５】
アンテナ１０１及び無線送受信機１１０は、無線信号の送受信に用いられる。アンテナ１０１は、複数設けられていてもよい。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００７６】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの操作を受け付けて、該操作の内容を示す信号をプロセッサ１６０に出力する。
【００７７】
ＧＮＳＳ受信機１３０は、ＵＥ１００の地理的な位置を示す位置情報を得るために、ＧＮＳＳ信号を受信して、受信した信号をプロセッサ１６０に出力する。
【００７８】
バッテリ１４０は、ＵＥ１００の各ブロックに供給すべき電力を蓄える。
【００７９】
メモリ１５０は、プロセッサ１６０によって実行されるプログラムと、プロセッサ１６０による処理に使用される情報と、を記憶する。
【００８０】
プロセッサ１６０は、ベースバンド信号の変調・復調及び符号化・復号等を行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００８１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００８２】
アンテナ２０１及び無線送受信機２１０は、無線信号の送受信に用いられる。アンテナ２０１は、複数設けられていてもよい。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００８３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００８４】
メモリ２３０は、プロセッサ２４０によって実行されるプログラムと、プロセッサ２４０による処理に使用される情報と、を記憶する。
【００８５】
プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００８６】
図４は、ＬＴＥシステムにおける無線インターフェイスのプロトコルスタック図である。
【００８７】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００８８】
物理レイヤは、符号化・復号、変調・復調、アンテナマッピング・デマッピング、及びリソースマッピング・デマッピング等を行う。ＵＥ１００の物理レイヤとｅＮＢ２００の物理レイヤとの間では、物理チャネルを介してデータが伝送される。
【００８９】
ＭＡＣレイヤは、データの優先制御、及びハイブリッドＡＲＱ（ＨＡＲＱ）による再送処理等を行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式等）、及び割当リソースブロックを決定するスケジューラを含む。
【００９０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００９１】
ＰＤＣＰレイヤは、ヘッダ圧縮・伸張、及び暗号化・復号化を行う。
【００９２】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００９３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理等を行う。
【００９４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００９５】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される最小リソース単位はリソースエレメント（ＲＥ）と称される。
【００９６】
また、ＵＥ１００に割り当てられる無線リソースのうち、周波数リソースはリソースブロックにより特定でき、時間リソースはサブフレーム（又はスロット）により特定できる。
【００９７】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、サウンディング参照信号（ＳＲＳ）が配置される。
【００９８】
図６は、下りリンクで使用される無線フレームの構成図である。
【００９９】
図６に示すように、下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。
【０１００】
下りリンクにおいて、各サブフレームには、セル固有参照信号（ＣＲＳ）及び／又はチャネル状態情報用参照信号（ＣＳＩ−ＲＳ）等の下りリンク参照信号が分散して配置される。下りリンク参照信号は、所定の直交信号系列により構成され、かつ、所定のリソースエレメントに配置される。
【０１０１】
（協調型干渉キャンセル方式の概要）
図７は、本実施形態に係る協調型干渉キャンセル方式の概要を説明するための図である。
【０１０２】
図７に示すように、ＵＥ１００−１は、協調型干渉キャンセル方式が適用されるＵＥである。ＵＥ１００−１は、ｅＮＢ２００−１が管理するセルとの接続（ＲＲＣ接続）を確立している。すなわち、ｅＮＢ２００−１が管理するセルは、ＵＥ１００−１のサービングセルに相当する。
【０１０３】
本実施形態では、サービングセルに隣接する隣接セルは、ｅＮＢ２００−１とは異なるｅＮＢ２００−２によって管理されている。図７の例では、ＵＥ１００−２は、ｅＮＢ２００−２が管理するセルとの接続（ＲＲＣ接続）を確立している。なお、ｅＮＢ２００−１及びｅＮＢ２００−２は、同期がとられている。
【０１０４】
ｅＮＢ２００−１及びｅＮＢ２００−２は、Ｘ２インターフェイスにより相互に接続される。また、ｅＮＢ２００−１及びｅＮＢ２００−２は、Ｓ１インターフェイスによりＭＭＥ／Ｓ−ＧＷ３００と接続される。
【０１０５】
ＵＥ１００−１は、ｅＮＢ２００−１が管理するセル（サービングセル）とｅＮＢ２００−２が管理するセル（隣接セル）との境界付近に位置している。よって、ｅＮＢ２００−２がｅＮＢ２００−１と同じ無線リソースを使用してＵＥ１００−２への送信を行う場合、ＵＥ１００−１は、ｅＮＢ２００−２からの下りリンクの干渉を受ける。すなわち、ＵＥ１００−１は、サービングセルからの希望波信号を受信するとともに、隣接セルからの干渉波信号を受信する。
【０１０６】
このような動作環境において、ｅＮＢ２００−１は、干渉波信号に対応する干渉レプリカ信号を生成し、干渉レプリカ信号を希望波信号に重畳する。そして、ｅＮＢ２００−１は、干渉レプリカ信号が重畳された希望波信号をＵＥ１００−１に送信する。
【０１０７】
ここで、ｅＮＢ２００−１は、ＵＥ１００−１が受信する干渉レプリカ信号が、ＵＥ１００−１が受信する干渉波信号を打ち消すように、干渉レプリカ信号を生成する。具体的には、ｅＮＢ２００−１は、ＵＥ１００−１が受信する干渉レプリカ信号の位相が、ＵＥ１００−１が受信する干渉波信号の位相と逆になるように、干渉レプリカ信号を生成する。また、ｅＮＢ２００−１は、ＵＥ１００−１が受信する干渉レプリカ信号の振幅が、ＵＥ１００−１が受信する干渉波信号の振幅と同じになるように、干渉レプリカ信号を生成する。
【０１０８】
これにより、干渉レプリカ信号は、ＵＥ１００−１の位置において、干渉波信号と逆位相で合成され、干渉波信号を打ち消す。よって、ＵＥ１００−１における干渉波信号の受信電力を低下させることができるため、ＳＩＲを改善できる。また、隣接セルにおいてＵＥ１００−１のために無線リソースを確保する必要がないため、ＪＴ−ＣｏＭＰ、ＤＰＳ−ＣｏＭＰ、及びＣＳ−ＣｏＭＰに比べて、無線リソースの利用効率を改善できる。さらに、ｅＮＢ２００−２が複数のアンテナを有していない場合、すなわち、ビームフォーミング／ヌルステアリングが不能な場合であっても、本方式（協調型干渉キャンセル方式）を適用可能である。
【０１０９】
また、干渉レプリカ信号は、ＵＥ１００−１の位置以外の位置においては、干渉波信号と逆位相で合成されずに残存する。よって、干渉レプリカ信号は、ＵＥ１００−１の位置以外の位置においては、希望波信号の復調を妨害する妨害信号としても機能する。従って、協調型干渉キャンセル方式によれば、通信の秘匿性も高めることができる。
【０１１０】
ｅＮＢ２００−１は、干渉レプリカ信号を生成するために必要な情報の少なくとも一部を、ｅＮＢ２００−２、ＭＭＥ／Ｓ−ＧＷ３００、及びＵＥ１００−１のうち少なくとも１つから取得する。
【０１１１】
干渉レプリカ信号を生成するためには、第１に、ｅＮＢ２００−２が送信する干渉波信号の信号波形に関する情報（干渉波情報）が必要である。
【０１１２】
ただし、ｅＮＢ２００−２が送信する干渉波信号は、ｅＮＢ２００−２とＵＥ１００−１との間のチャネル特性の影響を受けて、ＵＥ１００−１で受信される。よって、干渉レプリカ信号を生成するためには、第２に、ｅＮＢ２００−２とＵＥ１００−１との間のチャネル特性に関する情報（チャネル情報）が必要である。
【０１１３】
さらに、干渉レプリカ信号の精度を向上させるためには、干渉波情報及びチャネル情報以外の情報も利用できる。そのような情報の詳細については後述する。
【０１１４】
（ｅＮＢ２００−１の構成）
図８は、協調型干渉キャンセル方式を実現するためのｅＮＢ２００−１のブロック図である。
【０１１５】
図８に示すように、プロセッサ２４０は、希望波信号を生成する希望波信号生成部２４１と、干渉レプリカ信号を生成する干渉レプリカ信号生成部２４２と、干渉レプリカ信号を希望波信号に重畳する重畳部２４３と、干渉レプリカ信号が重畳された希望波信号からＯＦＤＭ信号（重畳信号）を生成するＯＦＤＭ信号生成部２４４と、を含む。無線信号送受信機２１０は、ＯＦＤＭ信号（重畳信号）を増幅して送信する送信部２１１を含む。
【０１１６】
希望波信号生成部２４１は、ＵＥ１００−１への送信データ（ユーザデータ）に送信処理を施すことにより、ＵＥ１００−１への送信データを希望波信号に変換する。送信処理は、符号化処理、変調処理、プリコーディング処理、及びリソースマッピング処理を含む。
【０１１７】
符号化処理は、送信データを符号化する処理である。符号化処理は、送信データに誤り検出符号（ＣＲＣ符号）を付加する処理、及びスクランブル処理などを含んでもよい。
【０１１８】
変調処理は、符号化された送信データ（符号化データ）を変調する処理である。
【０１１９】
プリコーディング処理は、ｅＮＢ２００−１とＵＥ１００−１との間のチャネル特性を示すチャネル情報に基づいて、変調された符号化データ（希望波信号波形）をプリコーディングする処理である。
【０１２０】
なお、以下においては、ｅＮＢ２００−１とＵＥ１００−１との間のチャネル特性を示すチャネル情報を「チャネル情報１」と称し、ｅＮＢ２００−２とＵＥ１００−１との間のチャネル特性を示すチャネル情報を「チャネル情報２」と称する。
【０１２１】
リソースマッピング処理は、プリコーディングされた希望波信号波形を物理リソースにマッピングする処理である。
【０１２２】
これらの処理の結果、希望波信号生成部２４１は、希望波信号を重畳部２４３に出力する。
【０１２３】
干渉レプリカ信号生成部２４２は、少なくともチャネル情報２に基づいて、干渉波情報に対応する干渉波信号波形の位相及び振幅を調整して、干渉レプリカ信号を生成する。また、干渉レプリカ信号生成部２４２は、干渉レプリカ信号の精度を向上させるための情報も加味して、干渉レプリカ信号を生成する。さらに、干渉レプリカ信号生成部２４２は、無線送受信機２１０における送信電力を調整してもよい。
【０１２４】
具体的には、干渉レプリカ信号生成部２４２は、ＵＥ１００−１が受信する干渉レプリカ信号の位相が、ＵＥ１００−１が受信する干渉波信号の位相と逆になるように、干渉レプリカ信号を生成する。また、ｅＮＢ２００−１は、ＵＥ１００−１が受信する干渉レプリカ信号の振幅が、ＵＥ１００−１が受信する干渉波信号の振幅と同じになるように、干渉レプリカ信号を生成する。
【０１２５】
例えば、干渉レプリカ信号生成部２４２は、干渉波情報及びチャネル情報２を用いて、ＵＥ１００−１が受信する干渉波受信波形を推定する。次に、干渉レプリカ信号生成部２４２は、当該干渉波受信波形を位相平面上にマッピング（ベクトル化）し、振幅を一定に保ちながら、位相を１８０度回転させることにより、干渉レプリカ信号（レプリカベクトル）を生成する。ただし、ＣＲＳ位置の違いやＤＭＲＳ（復調用参照信号）の有無などを考慮して、リソースエレメント位置の対応が取れるようにレプリカを生成する必要がある。また、サービングセルのＣＲＳ位置には、レプリカを重畳しない。
【０１２６】
第１に、干渉波情報の取得方法について説明する。干渉波情報は、例えば干渉波信号波形である。干渉波信号波形とは、ｅＮＢ２００−２における変調後の信号の波形である。或いは、干渉波信号波形と位相が逆で振幅が等しい信号の波形（逆特性干渉信号波形）を取得可能である場合、干渉波情報は、逆特性干渉信号であってもよい。
【０１２７】
干渉波情報が干渉波信号波形又は逆特性干渉信号波形である場合、ｅＮＢ２００−１のネットワークインターフェイス２２０は、干渉波信号波形又は逆特性干渉信号波形をｅＮＢ２００−１から受信する。そして、干渉レプリカ信号生成部２４２は、ネットワークインターフェイス２２０が受信した干渉波信号波形又は逆特性干渉信号波形を取得する。
【０１２８】
或いは、干渉波情報は、ｅＮＢ２００−２において干渉波信号に変換される前の送信データ（ＵＥ１００−２へのユーザデータ）である。当該送信データは、符号化前の送信データであってもよく、符号化後の送信データであってもよい。
【０１２９】
なお、以下においては、ＵＥ１００−１に対する送信データを「送信データ１」と称し、ＵＥ１００−２に対する送信データを「送信データ２」と称する。
【０１３０】
干渉波情報が送信データ２である場合、ｅＮＢ２００−１のネットワークインターフェイス２２０は、送信データ２をｅＮＢ２００−１又はＭＭＥ／Ｓ−ＧＷ３００から受信する。干渉レプリカ信号生成部２４２は、ネットワークインターフェイス２２０が受信した送信データ２を取得する。
【０１３１】
また、干渉波情報が送信データ２である場合、干渉レプリカ信号生成部２４２は、ｅＮＢ２００−２が送信データ２に対して行う送信処理と同じ送信処理を行って、干渉波信号波形を生成する必要がある。よって、ｅＮＢ２００−１のネットワークインターフェイス２２０は、ｅＮＢ２００−２が送信データ２に対して行う送信処理の内容を示す送信処理情報をｅＮＢ２００−２から受信する。送信処理の内容とは、例えば、符号化処理の内容、変調処理の内容、及びリソースマッピング処理の内容である。干渉レプリカ信号生成部２４２は、ネットワークインターフェイス２２０が受信した送信処理情報を取得する。
【０１３２】
第２に、チャネル情報２の取得方法について説明する。チャネル情報２は下りリンクのチャネル特性を示す情報であるため、ＦＤＤの場合には、チャネル情報２はＵＥ１００−１において生成される。これに対し、ＴＤＤの場合には、チャネル情報２はＵＥ１００−１又はｅＮＢ２００−２において生成される。
【０１３３】
なお、干渉波情報が逆特性干渉信号波形である場合、干渉レプリカ信号生成部２４２はチャネル情報２を取得する必要はないことに留意すべきである。
【０１３４】
チャネル情報２をＵＥ１００−１において生成する場合、チャネル情報２は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１３５】
ｅＮＢ２００−１のネットワークインターフェイス２２０は、チャネル情報２をｅＮＢ２００−２から受信する。或いは、ｅＮＢ２００−１の無線送受信機２１０は、チャネル情報２をＵＥ１００−１から受信する。干渉レプリカ信号生成部２４２は、ネットワークインターフェイス２２０又は無線送受信機２１０が受信したチャネル情報２を取得する。
【０１３６】
第３に、干渉レプリカ信号の精度を向上させるための情報の取得方法について説明する。
【０１３７】
干渉レプリカ信号の精度を向上させるための情報は、ＵＥ１００−１がｅＮＢ２００−２から受信する参照信号についての受信電力（ＲＳＲＰ；Ｒｅｆｅｒｅｎｃｅ  Ｓｉｇｎａｌ  Ｒｅｃｅｉｖｅｄ  Ｐｏｗｅｒ）を示す受信電力情報である。干渉レプリカ信号生成部２４２は、受信電力情報を加味することにより、干渉レプリカ信号の振幅（送信電力を含む）を適切に調整できる。
【０１３８】
受信電力情報は、ＵＥ１００−１において生成される。受信電力情報は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１３９】
ｅＮＢ２００−１のネットワークインターフェイス２２０は、受信電力情報をｅＮＢ２００−２から受信する。或いは、ｅＮＢ２００−１の無線送受信機２１０は、受信電力情報をＵＥ１００−１から受信する。干渉レプリカ信号生成部２４２は、ネットワークインターフェイス２２０又は無線送受信機２１０が受信した受信電力情報を取得する。
【０１４０】
或いは、干渉レプリカ信号の精度を向上させるための情報は、ｅＮＢ２００−２が送信する参照信号（ＣＲＳ）とデータ信号との間の振幅差又は位相差の少なくとも一方を示す差情報である。データ信号とは、ｅＮＢ２００−２が物理下りリンク共有チャネル（ＰＤＳＣＨ）上で送信する信号である。干渉レプリカ信号生成部２４２は、差情報を加味することにより、干渉レプリカ信号の振幅及び／又は位相を適切に調整できる。
【０１４１】
差情報は、ｅＮＢ２００−２において生成される。ｅＮＢ２００−２は、差情報をｅＮＢ２００−１に送信する。ｅＮＢ２００−１のネットワークインターフェイス２２０は、差情報をｅＮＢ２００−２から受信する。干渉レプリカ信号生成部２４２は、ネットワークインターフェイス２２０が受信した差情報を取得する。
【０１４２】
或いは、干渉レプリカ信号の精度を向上させるための情報は、ｅＮＢ２００−２が送信する参照信号（ＣＲＳ）とデータ信号との間の電力差を示す電力差情報である。干渉レプリカ信号生成部２４２は、電力差情報を加味することにより、干渉レプリカ信号の振幅（送信電力を含む）を適切に調整できる。
【０１４３】
電力差情報は、例えば、ｅＮＢ２００−２において生成される電力差情報（送信電力差を示す情報）である。電力差情報は、ｅＮＢ２００−２からｅＮＢ２００−１へ直接的に送信されてもよく、ｅＮＢ２００−２からＵＥ１００−１を経由してｅＮＢ２００−１へ間接的に送信されてもよい。
【０１４４】
ｅＮＢ２００−１のネットワークインターフェイス２２０は、電力差情報をｅＮＢ２００−２から受信する。或いは、ｅＮＢ２００−１の無線送受信機２１０は、電力差情報をＵＥ１００−１から受信する。干渉レプリカ信号生成部２４２は、ネットワークインターフェイス２２０又は無線送受信機２１０が受信した電力差情報を取得する。
【０１４５】
或いは、干渉レプリカ信号の精度を向上させるための情報は、ｅＮＢ２００−１からＵＥ１００−１までの遅延時間と、ｅＮＢ２００−２からＵＥ１００−１までの遅延時間と、の間の遅延時間差を示す時間差情報である。干渉レプリカ信号生成部２４２は、時間差情報を加味することにより、干渉レプリカ信号の送信タイミングを適切に調整できる。
【０１４６】
時間差情報は、ＵＥ１００−１において生成される。時間差情報は、ＵＥ１００−１からｅＮＢ２００−１へ直接的に送信されてもよく、ＵＥ１００−１からｅＮＢ２００−２を経由してｅＮＢ２００−１へ間接的に送信されてもよい。
【０１４７】
ｅＮＢ２００−１のネットワークインターフェイス２２０は、時間差情報をｅＮＢ２００−２から受信する。或いは、ｅＮＢ２００−１の無線送受信機２１０は、時間差情報をＵＥ１００−１から受信する。干渉レプリカ信号生成部２４２は、ネットワークインターフェイス２２０又は無線送受信機２１０が受信した時間差情報を取得する。
【０１４８】
（第１実施形態に係る動作）
以下において、本実施形態に係る動作を動作パターン１から動作パターン８の順に説明する。
【０１４９】
（１）動作パターン１
図９は、本実施形態に係る動作パターン１のシーケンス図である。動作パターン１では、ｅＮＢ２００−１が取得する干渉波情報は、干渉信号波形である。
【０１５０】
図９に示すように、ステップＳ１１０１において、ｅＮＢ２００−２は、自セルに接続するＵＥ１００−２に対するスケジューリング（或いは、プレスケジューリング）を行う。
【０１５１】
ステップＳ１１０２において、ｅＮＢ２００−２は、スケジューリングの結果に基づいて、送信データ２から送信信号波形を生成し、送信信号波形をサンプリングする。
【０１５２】
ステップＳ１１０３において、ｅＮＢ２００−２は、サンプリングした送信信号波形をｅＮＢ２００−１に送信する。ここで、サンプリングした送信信号波形は、干渉信号波形に相当する。
【０１５３】
ステップＳ１１０４において、ｅＮＢ２００−１は、自セルに接続するＵＥ１００−１に対するスケジューリングを行い、送信信号波形（希望波信号波形）を生成する。
【０１５４】
ステップＳ１１０５において、ｅＮＢ２００−１は、チャネル情報２を取得する。ｅＮＢ２００−１がチャネル情報２を取得するための動作の具体例については後述する。
【０１５５】
ステップＳ１１０６において、ｅＮＢ２００−１は、チャネル情報２に基づいて、干渉信号波形の逆特性信号を干渉レプリカ信号として生成する。そして、ｅＮＢ２００−１は、干渉レプリカ信号を希望波信号に重畳する。
【０１５６】
ステップＳ１１０７において、ｅＮＢ２００−２は、ＵＥ１００−１に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１５７】
ステップＳ１１０８において、ＵＥ１００−１は、重畳信号に含まれる希望波信号を復調する。
【０１５８】
なお、本動作パターンでは、主にＵＥ受信端（無線信号の状態）において干渉波信号がキャンセルされることを想定しているが、復調時（ベースバンド信号の状態）においてキャンセルされてもよい。以下の動作パターンにおいても同様である。
【０１５９】
図１０は、ｅＮＢ２００−１がチャネル情報２を取得するための動作例１のシーケンス図である。本動作例では、チャネル情報２は、ＵＥ１００−１において生成され、ＵＥ１００−１からｅＮＢ２００−２を経由してｅＮＢ２００−１に送信される。
【０１６０】
図１０に示すように、ステップＳ１１において、ｅＮＢ２００−１は、協調型干渉キャンセル方式が適用されるＵＥ１００−１の識別子（端末ＩＤ）をｅＮＢ２００−２に送信する。
【０１６１】
ステップＳ１２において、ｅＮＢ２００−１は、ＵＥ１００−１がチャネル情報２を取得すべき隣接セルの識別子（セルＩＤ）をＵＥ１００−１に送信する。当該セルＩＤは、チャネル特性の推定対象とすべきセルを示すセル指定情報に相当する。
【０１６２】
ステップＳ１３において、ｅＮＢ２００−２は、参照信号（ＣＲＳ）を送信する。
【０１６３】
ステップＳ１４において、ＵＥ１００−１は、ｅＮＢ２００−１から受信したセルＩＤに基づいて、ｅＮＢ２００−２からの参照信号（ＣＲＳ）を受信する。そして、ＵＥ１００−１は、ＣＲＳに基づいてチャネル推定を行い、チャネル情報２を生成する。このように、ＵＥ１００−１は、ｅＮＢ２００−１から受信したセルＩＤが示すセルについてチャネル特性を推定することにより、チャネル情報２を生成する。
【０１６４】
ステップＳ１５において、ＵＥ１００−１は、ｅＮＢ２００−１から受信したセルＩＤに基づいて、チャネル情報２をｅＮＢ２００−２に送信する。ここで、ＵＥ１００−１は、自身の端末ＩＤをチャネル情報２に付加して送信する。
【０１６５】
ステップＳ１６において、ｅＮＢ２００−２は、ｅＮＢ２００−１から受信した端末ＩＤに基づいて、ＵＥ１００−１から受信したチャネル情報２をｅＮＢ２００−１に転送する。ｅＮＢ２００−１は、ｅＮＢ２００−２からチャネル情報２を受信する。
【０１６６】
図１１は、ｅＮＢ２００−１がチャネル情報２を取得するための動作例２のシーケンス図である。本動作例では、チャネル情報２は、ＵＥ１００−１において生成され、ＵＥ１００−１からｅＮＢ２００−１に直接的に送信される。
【０１６７】
図１１に示すように、ステップＳ２１において、ｅＮＢ２００−１は、ＵＥ１００−１がチャネル情報２を取得すべき隣接セルの識別子（セルＩＤ）をＵＥ１００−１に送信する。当該セルＩＤは、チャネル特性の推定対象とすべきセルを示すセル指定情報に相当する。
【０１６８】
ステップＳ２２において、ｅＮＢ２００−２は、参照信号（ＣＲＳ）を送信する。
【０１６９】
ステップＳ２３において、ＵＥ１００−１は、ｅＮＢ２００−１から受信したセルＩＤに基づいて、ｅＮＢ２００−２からの参照信号（ＣＲＳ）を受信する。そして、ＵＥ１００−１は、ＣＲＳに基づいてチャネル推定を行い、チャネル情報２を生成する。このように、ＵＥ１００−１は、ｅＮＢ２００−１から受信したセルＩＤが示すセルについてチャネル特性を推定することにより、チャネル情報２を生成する。
【０１７０】
ステップＳ２４において、ＵＥ１００−１は、ｅＮＢ２００−１から受信したセルＩＤに基づいて、チャネル情報２をｅＮＢ２００−１に送信する。ｅＮＢ２００−１は、ＵＥ１００−１からチャネル情報２を受信する。
【０１７１】
図１２は、ｅＮＢ２００−１がチャネル情報２を取得するための動作例３のシーケンス図である。本動作例では、チャネル情報２は、ｅＮＢ２００−２において生成され、ｅＮＢ２００−２からｅＮＢ２００−１に送信される。
【０１７２】
図１２に示すように、ステップＳ３１において、ｅＮＢ２００−１は、協調型干渉キャンセル方式が適用されるＵＥ１００−１の識別子（端末ＩＤ）をｅＮＢ２００−２に送信する。当該端末ＩＤは、チャネル特性の推定対象とすべきＵＥを示す端末指定情報に相当する。
【０１７３】
ステップＳ３２において、ｅＮＢ２００−１は、ＵＥ１００−１が送信する参照信号（ＳＲＳ）を復調するためのＳＲＳ復調用情報をｅＮＢ２００−２に送信する。ＳＲＳ復調用情報は、ＳＲＳ挿入サブフレーム間隔、対象ＵＥの直交符号、ＳＲＳ帯域幅、ＳＲＳ周波数ドメイン位置、ＳＲＳホッピング帯域などを含む。ＳＲＳ復調用情報は、サブフレーム開始位置、及びシステム帯域幅をさらに含んでもよい。なお、ｅＮＢ２００−１は、上記の端末ＩＤをＳＲＳ復調用情報に含めてｅＮＢ２００−２に送信してもよい。この場合、ステップＳ３１は省略可能である。
【０１７４】
ステップＳ３３において、ＵＥ１００−１は、参照信号（ＳＲＳ）を送信する。
【０１７５】
ステップＳ３４において、ｅＮＢ２００−２は、ｅＮＢ２００−１から受信したＳＲＳ復調用情報に基づいて、ＵＥ１００−１からの参照信号（ＳＲＳ）を受信及び復調する。そして、ｅＮＢ２００−２は、ＳＲＳに基づいてチャネル推定を行い、チャネル情報２を生成する。
【０１７６】
ステップＳ３５において、ｅＮＢ２００−２は、チャネル情報２をｅＮＢ２００−１に送信する。ｅＮＢ２００−１は、ｅＮＢ２００−２からチャネル情報２を受信する。
【０１７７】
（２）動作パターン２
図１３は、本実施形態に係る動作パターン２のシーケンス図である。動作パターン２は、動作パターン１を一部変更したものである。
【０１７８】
図１３に示すように、ステップＳ１２０１において、ｅＮＢ２００−１は、自セルに接続するＵＥ１００−１に対するスケジューリング（或いは、プレスケジューリング）を行う。
【０１７９】
ステップＳ１２０２において、ｅＮＢ２００−１は、スケジューリングの結果に基づいて、ＵＥ１００−１に対する割当リソースブロックを示すリソース情報をｅＮＢ２００−２に送信する。リソース情報は、希望波信号の送信に使用する無線リソースを示す情報に相当する。
【０１８０】
ステップＳ１２０３において、ｅＮＢ２００−２は、自セルに接続するＵＥ１００−２に対するスケジューリングを行う。
【０１８１】
ステップＳ１２０４において、ｅＮＢ２００−２は、スケジューリングの結果に基づいて、ｅＮＢ２００−１から受信したリソース情報に対応するリソースブロックについて、送信データ２から送信信号波形を生成し、送信信号波形をサンプリングする。
【０１８２】
ステップＳ１２０５において、ｅＮＢ２００−２は、サンプリングした送信信号波形をｅＮＢ２００−１に送信する。ここで、サンプリングした送信信号波形は、干渉信号波形に相当する。
【０１８３】
ステップＳ１２０６において、ｅＮＢ２００−１は、チャネル情報２を取得する。チャネル情報２を取得するための動作例については、上述した動作パターン１と同様である。
【０１８４】
ステップＳ１２０７において、ｅＮＢ２００−１は、チャネル情報２に基づいて、希望波信号波形の逆特性信号を干渉レプリカ信号として生成する。そして、ｅＮＢ２００−１は、干渉レプリカ信号を希望波信号に重畳する。
【０１８５】
ステップＳ１２０８において、ｅＮＢ２００−２は、ＵＥ１００−１に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１８６】
ステップＳ１２０９において、ＵＥ１００−１は、重畳信号に含まれる希望波信号を復調する。
【０１８７】
（３）動作パターン３
図１４は、本実施形態に係る動作パターン３のシーケンス図である。動作パターン３では、ｅＮＢ２００−１が取得する干渉波情報は、逆特性干渉信号波形である。
【０１８８】
図１４に示すように、ステップＳ１３０１において、ｅＮＢ２００−２は、ＵＥ１００−１からチャネル情報２を取得する。或いは、ｅＮＢ２００−２は、チャネル情報２を自身で取得してもよい。
【０１８９】
ステップＳ１３０２において、ｅＮＢ２００−２は、自セルに接続するＵＥ１００−２に対するスケジューリング（或いは、プレスケジューリング）を行う。
【０１９０】
ステップＳ１３０３において、ｅＮＢ２００−２は、スケジューリングの結果に基づいて、送信データ２から送信信号波形（干渉波信号波形）を生成する。
【０１９１】
ステップＳ１３０４において、ｅＮＢ２００−２は、チャネル情報２に基づいて、干渉波信号波形の逆特性を逆特性干渉波形として生成し、逆特性干渉波形をサンプリングする。
【０１９２】
ステップＳ１３０５において、ｅＮＢ２００−２は、サンプリングした逆特性干渉波形をｅＮＢ２００−１に送信する。
【０１９３】
なお、上述した動作パターン２と同様に、リソース情報に基づいて波形通知を行ってもよい。具体的には、ステップＳ１３０２の前に、ｅＮＢ２００−１は、ＵＥ１００−１に対する割当リソースブロックを示すリソース情報をｅＮＢ２００−２に送信し、ｅＮＢ２００−２は、当該リソース情報に対応するリソースブロックについて送信信号波形を生成してサンプリングする。これにより、Ｘ２インターフェイス上を伝送する信号量を削減するとともに、ｅＮＢ２００−１が逆特性信号を単純に重畳するだけで良くなるという利点がある。
【０１９４】
ステップＳ１３０６において、ｅＮＢ２００−１は、自セルに接続するＵＥ１００−１に対するスケジューリングを行い、送信信号波形（希望波信号波形）を生成する。
【０１９５】
ステップＳ１３０７において、ｅＮＢ２００−１は、ｅＮＢ２００−２から受信した逆特性干渉波形により干渉レプリカ信号を生成する。そして、ｅＮＢ２００−１は、干渉レプリカ信号を希望波信号に重畳する。
【０１９６】
ステップＳ１３０８において、ｅＮＢ２００−２は、ＵＥ１００−１に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０１９７】
ステップＳ１３０９において、ＵＥ１００−１は、重畳信号に含まれる希望波信号を復調する。
【０１９８】
（４）動作パターン４
図１５は、本実施形態に係る動作パターン４のシーケンス図である。動作パターン４では、ｅＮＢ２００−１が取得する干渉波情報は、ＵＥ１００−２に対する送信データ（送信データ２）である。
【０１９９】
図１５に示すように、ステップＳ１４０１において、ｅＮＢ２００−１は、自セルに接続するＵＥ１００−１に対するスケジューリング（或いは、プレスケジューリング）を行う。
【０２００】
ステップＳ１４０２において、ｅＮＢ２００−１は、スケジューリングの結果に基づいて、ＵＥ１００−１に対する送信データ（送信データ１）から送信信号波形（希望波信号波形）を生成する。
【０２０１】
ステップＳ１４０３において、ｅＮＢ２００−２は、送信データ２をｅＮＢ２００−１に送信する。
【０２０２】
なお、上述した動作パターン２と同様に、リソース情報に基づいてデータ通知を行ってもよい。具体的には、ステップＳ１４０３の前に、ｅＮＢ２００−１は、ＵＥ１００−１に対する割当リソースブロックを示すリソース情報をｅＮＢ２００−２に送信し、ｅＮＢ２００−２は、当該リソース情報に対応する送信データ２をｅＮＢ２００−２に送信する。これにより、Ｘ２インターフェイス上を伝送する信号量を削減できる。
【０２０３】
ステップＳ１４０４において、ｅＮＢ２００−２は、自セルに接続するＵＥ１００−２に対するスケジューリング（或いは、プレスケジューリング）を行う。
【０２０４】
ステップＳ１４０５において、ｅＮＢ２００−２は、スケジューリングの結果に基づいて、スケジューリング情報をｅＮＢ２００−１に送信する。スケジューリング情報は、送信データ２を送信信号（干渉波信号）に変換する際の送信処理の内容を示す送信処理情報に相当する。
【０２０５】
ステップＳ１４０６において、ｅＮＢ２００−１は、チャネル情報２を取得する。ｅＮＢ２００−１がチャネル情報２を取得する動作については、上述した動作パターン１と同様である。
【０２０６】
ステップＳ１４０７において、ｅＮＢ２００−２は、ｅＮＢ２００−２が送信する参照信号（ＣＲＳ）とデータ信号との間の振幅差又は位相差の少なくとも一方を示す差情報をｅＮＢ２００−１に送信する。ｅＮＢ２００−２は、リソースブロック毎の差情報をｅＮＢ２００−１に送信してもよい。
【０２０７】
なお、ｅＮＢ２００−２からｅＮＢ２００−１への差情報の送信は、本動作パターンに限らず、上述した動作パターン、及び後述する動作パターンに対しても適用可能である。また、上述した動作パターン２のように、ＵＥ１００−１に対する割当リソースブロックがｅＮＢ２００−１からｅＮＢ２００−２へ通知される場合には、ｅＮＢ２００−２は、当該割当リソースブロックについてのみ差情報をｅＮＢ２００−１に送信してもよい。
【０２０８】
ステップＳ１４０８において、ｅＮＢ２００−２は、スケジューリング（ステップＳ１４０４）の結果に基づいて、送信データ２から送信信号波形（干渉波信号波形）を生成する。
【０２０９】
ステップＳ１４０９において、ｅＮＢ２００−１は、ｅＮＢ２００−２から受信した送信データ２に対して、ｅＮＢ２００−２から受信したスケジューリング情報（送信処理情報）が示す送信処理を行い、干渉信号波形を生成する。
【０２１０】
ステップＳ１４１０において、ｅＮＢ２００−１は、チャネル情報２に基づいて、干渉信号波形の逆特性信号を干渉レプリカ信号として生成する。その際、ｅＮＢ２００−１は、ｅＮＢ２００−２から受信した差情報に基づいて干渉レプリカ信号の位相及び振幅を調整する。
【０２１１】
ステップＳ１４１１において、ｅＮＢ２００−１は、干渉レプリカ信号を希望波信号に重畳する。
【０２１２】
ステップＳ１４１２において、ｅＮＢ２００−２は、ＵＥ１００−１に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０２１３】
ステップＳ１４１３において、ＵＥ１００−１は、重畳信号に含まれる希望波信号を復調する。
【０２１４】
（５）動作パターン５
図１６は、本実施形態に係る動作パターン５のシーケンス図である。動作パターン５は、動作パターン４を一部変更したものである。
【０２１５】
図１６に示すように、ステップＳ１５０１において、ｅＮＢ２００−１は、自セルに接続するＵＥ１００−１に対するスケジューリング（或いは、プレスケジューリング）を行う。
【０２１６】
ステップＳ１５０２において、ｅＮＢ２００−１は、スケジューリングの結果に基づいて、ＵＥ１００−１に対する送信データ（送信データ１）から送信信号波形（希望波信号波形）を生成する。
【０２１７】
ステップＳ１５０３において、Ｓ−ＧＷ３００は、送信データ２をｅＮＢ２００−１及びｅＮＢ２００−２に送信する。本動作パターンにおいて、Ｓ−ＧＷ３００は管理装置に相当する。
【０２１８】
ステップＳ１５０４において、ｅＮＢ２００−２は、自セルに接続するＵＥ１００−２に対するスケジューリング（或いは、プレスケジューリング）を行う。
【０２１９】
ステップＳ１５０５において、ｅＮＢ２００−２は、スケジューリングの結果に基づいて、スケジューリング情報をｅＮＢ２００−１に送信する。スケジューリング情報は、送信データ２を送信信号（干渉波信号）に変換する際の送信処理の内容を示す送信処理情報に相当する。
【０２２０】
ステップＳ１５０６において、ｅＮＢ２００−１は、チャネル情報２を取得する。ｅＮＢ２００−１がチャネル情報２を取得する動作については、上述した動作パターン１と同様である。
【０２２１】
ステップＳ１５０７において、ｅＮＢ２００−２は、スケジューリング（ステップＳ１５０４）の結果に基づいて、送信データ２から送信信号波形（干渉波信号波形）を生成する。
【０２２２】
ステップＳ１５０８において、ｅＮＢ２００−１は、ｅＮＢ２００−２から受信した送信データ２に対して、ｅＮＢ２００−２から受信したスケジューリング情報（送信処理情報）が示す送信処理を行い、干渉信号波形を生成する。
【０２２３】
ステップＳ１５０９において、ｅＮＢ２００−１は、チャネル情報２に基づいて、干渉信号波形の逆特性信号を干渉レプリカ信号として生成する。
【０２２４】
ステップＳ１５１０において、ｅＮＢ２００−１は、干渉レプリカ信号を希望波信号に重畳する。
【０２２５】
ステップＳ１５１１において、ｅＮＢ２００−２は、ＵＥ１００−１に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【０２２６】
ステップＳ１５１２において、ＵＥ１００−１は、重畳信号に含まれる希望波信号を復調する。
【０２２７】
（６）動作パターン６
図１７は、本実施形態に係る動作パターン６のシーケンス図である。動作パターン６は、干渉レプリカ信号の振幅を適切に調整するための動作パターンである。動作パターン６は、上述した動作パターン１乃至５の何れかと組み合わせて実施される。
【０２２８】
図１７に示すように、ステップＳ１６０１において、ｅＮＢ２００−１は、参照信号（ＣＲＳ）を送信する。ＵＥ１００−１は、ＣＲＳを受信する。
【０２２９】
ステップＳ１６０２において、ＵＥ１００−１は、ｅＮＢ２００−１から受信したＣＲＳの受信電力（ＲＳＲＰ１）を測定する。
【０２３０】
ステップＳ１６０３において、ＵＥ１００−１は、ＲＳＲＰ１（ＲＳＲＰ報告）をｅＮＢ２００−１に送信する。
【０２３１】
ステップＳ１６０４において、ｅＮＢ２００−１は、ＣＲＳの送信電力からＲＳＲＰ１を減算することにより、ＵＥ１００−１とｅＮＢ２００−１との間の伝搬損失（伝搬損失１）を算出する。
【０２３２】
ステップＳ１６０５において、ｅＮＢ２００−１は、伝搬損失１に基づいて、希望波信号の振幅を調整する。
【０２３３】
ステップＳ１６０６において、ｅＮＢ２００−２は、ＣＲＳを送信する。ＵＥ１００−１は、ＣＲＳを受信する。
【０２３４】
ステップＳ１６０７において、ＵＥ１００−１は、ｅＮＢ２００−２から受信したＣＲＳの受信電力（ＲＳＲＰ２）を測定する。
【０２３５】
ステップＳ１６０８において、ＵＥ１００−１は、ＲＳＲＰ２をｅＮＢ２００−２に送信する。
【０２３６】
ステップＳ１６０９において、ｅＮＢ２００−２は、ＵＥ１００−１から受信したＲＳＲＰ２をｅＮＢ２００−１に転送する。ここで、ｅＮＢ２００−２は、ｅＮＢ２００−１からの事前の要求に応じてＲＳＲＰ２をｅＮＢ２００−１に転送してもよい。
【０２３７】
なお、ＵＥ１００−１は、ＲＳＲＰ２をｅＮＢ２００−２に送信するのではなく、ＲＳＲＰ２をｅＮＢ２００−１に直接的に送信してもよい。
【０２３８】
ステップＳ１６１０において、ｅＮＢ２００−１は、ＣＲＳの送信電力からＲＳＲＰ２を減算することにより、ＵＥ１００−１とｅＮＢ２００−２との間の伝搬損失（伝搬損失２）を算出する。
【０２３９】
ステップＳ１６１１において、ｅＮＢ２００−１は、伝搬損失２に基づいて、干渉レプリカ信号の振幅を調整する。
【０２４０】
なお、ｅＮＢ２００−１及び／又はｅＮＢ２００−２がＣＲＳ以外の参照信号（具体的には、ＣＳＩ−ＲＳ）を送信する場合、ＵＥ１００−１は、ＣＳＩ−ＲＳの受信電力も測定し、ＣＳＩ−ＲＳの受信電力をｅＮＢ２００−１又はｅＮＢ２００−２に送信してもよい。この場合、受信電力の種別（ＣＲＳであるか、ＣＳＩ−ＲＳであるか）を示す情報を付加してもよい。
【０２４１】
（７）動作パターン７
図１８は、本実施形態に係る動作パターン７のシーケンス図である。動作パターン７は、干渉レプリカ信号の振幅を適切に調整するための動作パターンである。動作パターン７は、上述した動作パターン１乃至５の何れかと組み合わせて実施される。
【０２４２】
図１８に示すように、ステップＳ１７０１において、ｅＮＢ２００−１は、隣接セル（ｅＮＢ２００−２が管理するセル）の識別子（セルＩＤ）をＵＥ１００−１に送信する。
【０２４３】
ステップＳ１７０２において、ＵＥ１００−１は、ｅＮＢ２００−１から受信したセルＩＤに基づいて、ｅＮＢ２００−２が送信するシステム情報（ＳＩＢ；Ｓｙｓｔｅｍ  Ｉｎｆｏｒｍａｔｉｏｎ  Ｂｌｏｃｋ）を受信する。本動作パターンでは、ＳＩＢは、ｅＮＢ２００−２が送信する参照信号とデータ信号との間の電力差（送信電力差）を示す電力差情報を含む。
【０２４４】
ステップＳ１７０３において、ＵＥ１００−１は、ＳＩＢを復調し、ＳＩＢに含まれる電力差情報を取得する。
【０２４５】
ステップＳ１７０４において、ＵＥ１００−１は、電力差情報をｅＮＢ２００−１に送信する。
【０２４６】
ステップＳ１７０５において、ｅＮＢ２００−１は、ＵＥ１００−１から受信した電力差情報に基づいて、干渉レプリカ信号の振幅を調整する。
【０２４７】
なお、本動作パターンでは、電力差情報は、ｅＮＢ２００−２からＵＥ１００−１を経由してｅＮＢ２００−１に送信されていたが、ｅＮＢ２００−２からｅＮＢ２００−１に直接的に送信されてもよい。この場合、ｅＮＢ２００−２は、ｅＮＢ２００−１からの要求に応じて電力差情報をｅＮＢ２００−１に送信してもよい。
【０２４８】
（８）動作パターン８
図１９は、本実施形態に係る動作パターン８のシーケンス図である。動作パターン８は、干渉レプリカ信号の送信タイミング（重畳タイミング）を適切に調整するための動作パターンである。動作パターン８は、上述した動作パターン１乃至５の何れかと組み合わせて実施される。
【０２４９】
図１９に示すように、ステップＳ１８０１において、ｅＮＢ２００−１は、参照信号（ＣＲＳ）を送信する。ｅＮＢ２００−１が送信したＣＲＳは、伝搬遅延τｓ後において、ＵＥ１００−１で受信される。
【０２５０】
ステップＳ１８０２において、ｅＮＢ２００−２は、ｅＮＢ２００−１がＣＲＳを送信するのと同時に、ＣＲＳを送信する。ｅＮＢ２００−２が送信したＣＲＳは、伝搬遅延τｎ後において、ＵＥ１００−１で受信される。
【０２５１】
ステップＳ１８０３において、ＵＥ１００−１は、ｅＮＢ２００−１からのＣＲＳの受信タイミングと、ｅＮＢ２００−２からのＣＲＳの受信タイミングと、の差を時間差情報として生成する。すなわち、時間差情報は、ｅＮＢ２００−１からＵＥ１００−１までの遅延時間τｓと、ｅＮＢ２００−２からＵＥ１００−１までの遅延時間τｎと、の間の遅延時間差を示す情報である。
【０２５２】
ステップＳ１８０４において、ＵＥ１００−１は、時間差情報をｅＮＢ２００−１に送信する。ｅＮＢ２００−１は、ＵＥ１００−１から受信した時間差情報に基づいて、干渉レプリカ信号の送信タイミング（重畳タイミング）を調整する。
【０２５３】
なお、本動作パターンでは、ｅＮＢ２００−１及びｅＮＢ２００−２がＣＲＳを同時に送信しているが、ＣＲＳの送信タイミングが異なる場合には、送信タイミング差の情報をｅＮＢ２００−１及びｅＮＢ２００−２で共有し、ＵＥ１００−１から受信した時間差情報を補正すればよい。或いは、ＵＥ１００−１側で送信タイミング差の情報（サブフレーム番号の差、シンボル番号の差など）が分かる場合は、ＵＥ１００−１にて補正して遅延時間差を報告してもよい。
【０２５４】
また、本動作パターンでは、参照信号としてＣＲＳを使用しているが、ＣＲＳに代えてＣＳＩ−ＲＳを使用してもよい。さらに、ＵＥ１００−１は、ｅＮＢ２００−１からのＣＲＳの受信電力と、ｅＮＢ２００−２からのＣＲＳの受信電力と、の差を示す情報を時間差情報と共に送信してもよい。
【０２５５】
［第２実施形態］
以下、第２実施形態について、上述した第１実施形態との相違点を主として説明する。
【０２５６】
上述した第１実施形態では、協調型干渉キャンセル方式（干渉レプリカ信号を希望波信号に重畳する方式）が常時適用されることを想定していた。
【０２５７】
これに対し、第２実施形態では、所定の条件が満たされた場合にのみ、協調型干渉キャンセル方式が適用される。
【０２５８】
（１）動作パターン１
図２０は、本実施形態に係る動作パターン１のシーケンス図である。本動作パターンでは、ｅＮＢ２００−１は、サービングセルと対応付けられたアンテナ（送信アンテナ）の数に基づいて、協調型干渉キャンセル方式を適用するか否かを判定する。ここで、ｅＮＢ２００−１が管理するセルが１つである場合には、サービングセルと対応付けられたアンテナの数とは、ｅＮＢ２００−１のアンテナの数である。ｅＮＢ２００−１が管理するセルが複数であって、かつ、セル毎にアンテナが異なる場合には、サービングセルと対応付けられたアンテナの数とは、サービングセルのアンテナの数である。
【０２５９】
図２０に示すように、ステップＳ２１０１において、ｅＮＢ２００−１は、サービングセルと対応付けられたアンテナの数を確認する。
【０２６０】
ステップＳ２１０２において、ｅＮＢ２００−１は、サービングセルと対応付けられたアンテナの数に基づいて、協調型干渉キャンセル方式を適用するか否かを判定する。例えば、ｅＮＢ２００−１は、サービングセルと対応付けられたアンテナの数が１つである場合、ＣＢ−ＣｏＭＰが適用不能であるため、協調型干渉キャンセル方式を適用すると判定する。或いは、ｅＮＢ２００−１は、サービングセルと対応付けられたアンテナの数が複数である場合であっても、ビームフォーミング／ヌルステアリングに不十分な数であれば、協調型干渉キャンセル方式を適用すると判定してもよい。ここでは、協調型干渉キャンセル方式を適用すると判定されたと仮定して、説明を進める。
【０２６１】
ステップＳ２１０３において、ｅＮＢ２００−１は、協調型干渉キャンセル方式を適用する旨の通知をｅＮＢ２００−２に送信する。
【０２６２】
ステップＳ２１０４において、ｅＮＢ２００−２は、ｅＮＢ２００−１からの通知に応じて、干渉波情報をｅＮＢ２００−１に送信する。
【０２６３】
（２）動作パターン２
図２１は、本実施形態に係る動作パターン２のシーケンス図である。本動作パターンでは、ｅＮＢ２００−１は、ＵＥ１００−１における受信信号状態に基づいて、協調型干渉キャンセル方式を適用するか否かを判定する。ｅＮＢ２００−１は、例えばＣＢ−ＣｏＭＰを実施しても受信信号状態（受信ＳＩＲなど）が改善しない場合に、協調型干渉キャンセル方式を適用すると判定する。
【０２６４】
図２１に示すように、ステップＳ２２０１において、ｅＮＢ２００−１及びｅＮＢ２００−２は、通常の送信を行う。
【０２６５】
ステップＳ２２０２において、ＵＥ１００−１は、受信ＳＩＲを測定する。ただし、受信ＳＩＲに限らず、ＣＱＩなどの他の受信品質指標を使用してもよい。
【０２６６】
ステップＳ２２０３において、ＵＥ１００−１は、受信ＳＩＲ（ＳＩＲ報告）をｅＮＢ２００−１に送信する。
【０２６７】
ステップＳ２２０４において、ｅＮＢ２００−１及びｅＮＢ２００−２は、ＣＢ−ＣｏＭＰによる送信を行う。
【０２６８】
ステップＳ２２０５において、ＵＥ１００−１は、受信ＳＩＲを測定する。ただし、受信ＳＩＲに限らず、ＣＱＩなどの他の受信品質指標を使用してもよい。
【０２６９】
ステップＳ２２０６において、ＵＥ１００−１は、受信ＳＩＲ（ＳＩＲ報告）をｅＮＢ２００−１に送信する。
【０２７０】
ステップＳ２２０７において、ｅＮＢ２００−１は、ＣＢ−ＣｏＭＰ前の受信ＳＩＲとＣＢ−ＣｏＭＰ中の受信ＳＩＲとを比較する。
【０２７１】
ステップＳ２２０８において、ｅＮＢ２００−１は、ＣＢ−ＣｏＭＰ前の受信ＳＩＲよりもＣＢ−ＣｏＭＰ中の受信ＳＩＲが一定量以上（ゼロを含む）改善しているか否かを判定する。なお、当該一定量は、ｅＮＢ２００−１及びｅＮＢ２００−２で共有していてもよい。
【０２７２】
ＣＢ−ＣｏＭＰ前の受信ＳＩＲよりもＣＢ−ＣｏＭＰ中の受信ＳＩＲが改善している場合には、ｅＮＢ２００−１は、ＣＢ−ＣｏＭＰを継続すると判定する。これに対し、ＣＢ−ＣｏＭＰ前の受信ＳＩＲよりもＣＢ−ＣｏＭＰ中の受信ＳＩＲが改善していない場合には、ｅＮＢ２００−１は、協調型干渉キャンセル方式を適用すると判定する。ここでは、協調型干渉キャンセル方式を適用すると判定されたと仮定して、説明を進める。
【０２７３】
ステップＳ２２０９において、ｅＮＢ２００−１は、協調型干渉キャンセル方式を適用する旨の通知をｅＮＢ２００−２に送信する。
【０２７４】
ステップＳ２２１０において、ｅＮＢ２００−２は、ｅＮＢ２００−１からの通知に応じて、干渉波情報をｅＮＢ２００−１に送信する。
【０２７５】
（３）動作パターン３
図２２は、本実施形態に係る動作パターン３のシーケンス図である。本動作パターンは、受信信号状態に基づいて協調型干渉キャンセル方式を適用するか否かを判定する点で、上述した動作パターン２と共通する。ただし、本動作パターンでは、ｅＮＢ２００−１は、受信信号状態としての空間特性（Ｓｐａｔｉａｌ  Ｓｉｇｎａｔｕｒｅ）に基づいて、協調型干渉キャンセル方式を適用するか否かを判定する。
【０２７６】
図２２に示すように、ステップＳ２３０１において、ｅＮＢ２００−１及びｅＮＢ２００−２は、通常の送信を行う。
【０２７７】
ステップＳ２３０２において、ＵＥ１００−１は、ｅＮＢ２００−２におけるアンテナ間の空間相関（空間分離度）を示す空間特性を測定する。
【０２７８】
ステップＳ２３０３において、ＵＥ１００−１は、空間特性（Ｓｐａｔｉａｌ  Ｓｉｇｎａｔｕｒｅ報告）をｅＮＢ２００−１に送信する。
【０２７９】
ステップＳ２３０４において、ｅＮＢ２００−１は、空間特性に基づいて、協調型干渉キャンセル方式を適用するか否かを判定する。ｅＮＢ２００−１は、例えば、ｅＮＢ２００−２におけるアンテナ間の空間相関（分離度）により、ヌルステアリングが困難と判断した場合に、ＣＢ−ＣｏＭＰが適用不能であるとみなして、協調型干渉キャンセル方式を適用すると判定する。ここでは、協調型干渉キャンセル方式を適用すると判定されたと仮定して、説明を進める。
【０２８０】
ステップＳ２３０５において、ｅＮＢ２００−１は、協調型干渉キャンセル方式を適用する旨の通知をｅＮＢ２００−２に送信する。
【０２８１】
ステップＳ２３０６において、ｅＮＢ２００−２は、ｅＮＢ２００−１からの通知に応じて、干渉波情報をｅＮＢ２００−１に送信する。
【０２８２】
なお、本動作パターンでは、空間特性をＵＥ１００−１で測定しているが、ＴＤＤの場合には、空間特性をｅＮＢ２００−２で測定してもよい。この場合、ステップＳ２３０５を省略し、ステップＳ２３０５の通知をステップＳ２３０６に含めてもよい。
【０２８３】
（４）動作パターン４
図２３は、本実施形態に係る動作パターン４のシーケンス図である。本動作パターンでは、ｅＮＢ２００−１は、無線リソースの状況に基づいて、協調型干渉キャンセル方式を適用するか否かを判定する。また、本動作パターンでは、初期状態において、ｅＮＢ２００−１及びｅＮＢ２００−２は、ＪＴ−ＣｏＭＰ又はＤＰＳ−ＣｏＭＰを実施している。
【０２８４】
図２３に示すように、ステップＳ２４０１において、ｅＮＢ２００−２は、自セルの空き無線リソースを確認し、空き無線リソースが逼迫しているか否かを判定する。ここでは、空き無線リソースが逼迫していると判定されたと仮定して、説明を進める。
【０２８５】
ステップＳ２４０２において、ｅＮＢ２００−２は、協調型干渉キャンセル方式を適用する旨の要求をｅＮＢ２００−１に送信する。
【０２８６】
ステップＳ２４０３において、ｅＮＢ２００−１は、ｅＮＢ２００−２からの要求に応じて、協調型干渉キャンセル方式を適用すると判定する。
【０２８７】
ステップＳ２４０４において、ｅＮＢ２００−１は、協調型干渉キャンセル方式を適用する旨の通知をｅＮＢ２００−２に送信する。
【０２８８】
ステップＳ２４０５において、ｅＮＢ２００−２は、ｅＮＢ２００−１からの通知に応じて、干渉波情報をｅＮＢ２００−１に送信する。
【０２８９】
なお、本動作パターンでは、ｅＮＢ２００−２の空き無線リソースに基づいて協調型干渉キャンセル方式を適用するか否かを判定していたが、次のような方法でもよい。具体的には、ｅＮＢ２００−１又はｅＮＢ２００−２は、セル端付近に位置するＵＥに割り当てられる無線リソースが所定量を超えた場合に、干渉回避を図るために、協調型干渉キャンセル方式を適用してもよい。
【０２９０】
（５）動作パターン５
図２４は、本実施形態に係る動作パターン５のシーケンス図である。本動作パターンでは、ｅＮＢ２００−１は、ＵＥ１００−１が必要とするＱｏＳに基づいて、協調型干渉キャンセル方式を適用するか否かを判定する。
【０２９１】
図２４に示すように、ステップＳ２５０１において、ｅＮＢ２００−１及びｅＮＢ２００−２は、通常の送信を行う。ただし、本動作パターンでは、ｅＮＢ２００−１及びｅＮＢ２００−２は、ＣＢ−ＣｏＭＰを実施してもよい。
【０２９２】
ステップＳ２５０２において、ｅＮＢ２００−１は、ＵＥ１００−１が必要とするＱｏＳが満たされているか否かを確認する。ここで、ＵＥ１００−１が必要とするＱｏＳは、ベアラの種別により判別できる。
【０２９３】
ステップＳ２５０３において、ｅＮＢ２００−１は、ＵＥ１００−１が必要とするＱｏＳに基づいて、協調型干渉キャンセル方式を適用するか否かを判定する。ｅＮＢ２００−１は、例えば、ＵＥ１００−１が必要とするＱｏＳが満たされていない場合に、協調型干渉キャンセル方式を適用すると判定する。ここでは、協調型干渉キャンセル方式を適用すると判定されたと仮定して、説明を進める。
【０２９４】
ステップＳ２５０４において、ｅＮＢ２００−１は、協調型干渉キャンセル方式を適用する旨の通知をｅＮＢ２００−２に送信する。
【０２９５】
ステップＳ２５０５において、ｅＮＢ２００−２は、ｅＮＢ２００−１からの通知に応じて、干渉波情報をｅＮＢ２００−１に送信する。
【０２９６】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０２９７】
上述した各実施形態では、ｅＮＢ２００−１は、干渉レプリカ信号が重畳された希望波信号からＯＦＤＭ信号を生成し、生成したＯＦＤＭ信号を送信していたが、これに限られない。例えば、ｅＮＢ２００−１は、干渉レプリカ信号が重畳された希望波信号から、ＣＤＭＡ信号、ＩＤＭＡ信号、ＦＤＭＡ信号、ＴＤＭＡ信号などの信号を生成し、生成した信号を送信してもよい。
【０２９８】
上述した各実施形態では、サービングセル及び隣接セルが異なるｅＮＢ（ｅＮＢ２００−１、ｅＮＢ２００−２）によって管理されていたが、サービングセル及び隣接セルは、同一のｅＮＢ（ｅＮＢ２００−１）によって管理されていてもよい。また、ｅＮＢ２００−１は、同一のサービングセルにＵＥ１００−１及びＵＥ１００−２が在圏する場合に、本発明が適用されてもよい。従って、ｅＮＢ２００−１は、ＵＥ１００−１との通信及びＵＥ１００−２との通信のそれぞれを管理していてもよい。例えば、ｅＮＢ２００−１は、下りリンク・マルチアンテナ伝送により複数のＵＥ１００（ＵＥ１００−１及びＵＥ１００−２）を空間的に多重するＭＵ（Ｍｕｌｔｉ  Ｕｓｅｒ）−ＭＩＭＯ（Ｍｕｌｔｉｐｌｅ  Ｉｎｐｕｔ  Ｍｕｌｔｉｐｌｅ  Ｏｕｔｐｕｔ）を実行する場合に、本発明を適用してもよい。これらのケースでは、ｅＮＢ２００−１は、ＵＥ１００−２への送信を制御しているため、干渉レプリカ信号の生成に使用される情報（例えば、送信データ２、干渉波信号波形など）を隣接ｅＮＢから受信せずに、利用することができる。
【０２９９】
上述した各実施形態では、本発明をＬＴＥシステムに適用する一例を説明したが、ＬＴＥシステムに限定されるものではなく、ＬＴＥシステム以外のシステムに本発明を適用してもよい。
【０３００】
なお、米国仮出願第６１／７４０９８９号（２０１２年１２月２１日出願）、米国仮出願第６１／７４５０１６号（２０１２年１２月２１日出願）、米国仮出願第６１／７４５０４３号（２０１２年１２月２１日出願）及び米国仮出願第６１／７４８２９３号（２０１３年１月２日出願）の全内容が、参照により、本願明細書に組み込まれている。
【産業上の利用可能性】
【０３０１】
以上のように、本発明に係る移動通信システム、通信制御方法、基地局、ユーザ端末、及びプロセッサは、ユーザ端末における干渉波信号の受信電力を低下させることができるため、移動通信分野において有用である。
【図１】
2014098187.tif 000003
【図２】
2014098187.tif 000004
【図３】
2014098187.tif 000005
【図４】
2014098187.tif 000006
【図５】
2014098187.tif 000007
【図６】
2014098187.tif 000008
【図７】
2014098187.tif 000009
【図８】
2014098187.tif 000010
【図９】
2014098187.tif 000011
【図１０】
2014098187.tif 000012
【図１１】
2014098187.tif 000013
【図１２】
2014098187.tif 000014
【図１３】
2014098187.tif 000015
【図１４】
2014098187.tif 000016
【図１５】
2014098187.tif 000017
【図１６】
2014098187.tif 000018
【図１７】
2014098187.tif 000019
【図１８】
2014098187.tif 000020
【図１９】
2014098187.tif 000021
【図２０】
2014098187.tif 000022
【図２１】
2014098187.tif 000023
【図２２】
2014098187.tif 000024
【図２３】
2014098187.tif 000025
【図２４】
2014098187.tif 000026
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
サービングセルからの希望波信号を受信するとともに、他のユーザ端末への信号である干渉波信号を受信するユーザ端末と、
前記サービングセルを管理する第１の基地局と、を有する移動通信システムであって、
前記第１の基地局は、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末が受信する前記干渉レプリカ信号が、前記ユーザ端末が受信する前記干渉波信号を打ち消すように、前記干渉レプリカ信号を生成することを特徴とする移動通信システム。
【請求項２】
前記他のユーザ端末は、前記サービングセルに隣接する隣接セルに接続し、
前記干渉波信号は、前記隣接セルからの信号であることを特徴とする請求項１に記載の移動通信システム。
【請求項３】
前記第１の基地局は、前記ユーザ端末が接続する前記サービングセル及び前記他のユーザ端末が接続する前記サービングセルに隣接する隣接セルを管理し、
前記送信部は、前記干渉波信号を前記他のユーザ端末に送信することを特徴とする請求項１に記載の移動通信システム。
【請求項４】
前記他のユーザ端末は、前記ユーザ端末が接続する前記サービングセルに在圏し、
前記送信部は、前記干渉波信号を前記他のユーザ端末に送信することを特徴とする請求項１に記載の移動通信システム。
【請求項５】
前記第１の基地局は、前記ユーザ端末との通信及び前記他のユーザ端末との通信のそれぞれの通信を管理し、
前記送信部は、前記干渉波信号を前記他のユーザ端末に送信することを特徴とする請求項１に記載の移動通信システム。
【請求項６】
前記制御部は、前記ユーザ端末が受信する前記干渉レプリカ信号の位相が、前記ユーザ端末が受信する前記干渉波信号の位相と逆になるように、前記干渉レプリカ信号を生成することを特徴とする請求項１に記載の移動通信システム。
【請求項７】
前記制御部は、前記ユーザ端末が受信する前記干渉レプリカ信号の振幅が、前記ユーザ端末が受信する前記干渉波信号の振幅と同じになるように、前記干渉レプリカ信号を生成することを特徴とする請求項１に記載の移動通信システム。
【請求項８】
前記第１の基地局は、前記サービングセルと対応付けられた少なくとも１つのアンテナを含み、
前記制御部は、前記アンテナの数に基づいて、前記干渉レプリカ信号を前記希望波信号に重畳する重畳送信を適用するか否かを判定することを特徴とする請求項１に記載の移動通信システム。
【請求項９】
前記制御部は、前記ユーザ端末における受信信号状態に基づいて、前記干渉レプリカ信号を前記希望波信号に重畳する重畳送信を適用するか否かを判定することを特徴とする請求項１に記載の移動通信システム。
【請求項１０】
前記制御部は、前記移動通信システムにおける無線リソースの使用状況に基づいて、前記干渉レプリカ信号を前記希望波信号に重畳する重畳送信を適用するか否かを判定することを特徴とする請求項１に記載の移動通信システム。
【請求項１１】
前記制御部は、前記ユーザ端末が必要とするＱｏＳに基づいて、前記干渉レプリカ信号を前記希望波信号に重畳する重畳送信を適用するか否かを判定することを特徴とする請求項１に記載の移動通信システム。
【請求項１２】
前記第１の基地局を管理する管理装置をさらに有し、
前記第１の基地局は、前記干渉レプリカ信号の生成に使用される情報を、前記管理装置及び前記ユーザ端末のうち少なくとも１つから受信する受信部を含み、
前記制御部は、前記受信部が受信した情報に基づいて前記干渉レプリカ信号を生成することを特徴とする請求項１に記載の移動通信システム。
【請求項１３】
前記サービングセルに隣接する隣接セルを管理する第２の基地局をさらに有し、
前記管理装置は、前記第２の基地局を管理し、
前記受信部は、前記干渉レプリカ信号の生成に使用される情報を、前記第２の基地局、前記管理装置、及び前記ユーザ端末のうち少なくとも１つから受信することを特徴とする請求項１２に記載の移動通信システム。
【請求項１４】
前記干渉レプリカ信号の生成に使用される情報は、前記干渉波信号の信号波形に関する波形情報を含み、
前記第２の基地局は、前記波形情報を前記第１の基地局に送信し、
前記受信部は、前記波形情報を受信することを特徴とする請求項１３に記載の移動通信システム。
【請求項１５】
前記制御部は、前記希望波信号の送信に使用する無線リソースを示すリソース情報を前記第２の基地局に送信し、
前記第２の基地局は、前記リソース情報に基づいて、前記波形情報を前記第１の基地局に送信することを特徴とする請求項１４に記載の移動通信システム。
【請求項１６】
前記干渉レプリカ信号の生成に使用される情報は、前記第２の基地局において前記干渉波信号に変換される前の送信データを含み、
前記第２の基地局は、前記送信データを前記第１の基地局に送信し、
前記受信部は、前記第２の基地局から前記送信データを受信することを特徴とする請求項１３に記載の移動通信システム。
【請求項１７】
前記干渉レプリカ信号の生成に使用される情報は、前記第２の基地局において前記送信データを前記干渉波信号に変換する際の送信処理の内容を示す送信処理情報をさらに含み、
前記第２の基地局は、前記送信処理情報を前記第１の基地局にさらに送信し、
前記受信部は、前記第２の基地局から前記送信処理情報をさらに受信することを特徴とする請求項１６に記載の移動通信システム。
【請求項１８】
前記干渉レプリカ信号の生成に使用される情報は、前記第２の基地局において前記干渉波信号に変換される前の送信データを含み、
前記管理装置は、前記送信データを前記第１の基地局に送信し、
前記受信部は、前記管理装置から前記送信データを受信することを特徴とする請求項１３に記載の移動通信システム。
【請求項１９】
前記干渉レプリカ信号の生成に使用される情報は、前記第２の基地局において前記送信データを前記干渉波信号に変換する際の送信処理の内容を示す送信処理情報をさらに含み、
前記第２の基地局は、前記送信処理情報を前記第１の基地局に送信し、
前記受信部は、前記第２の基地局から前記送信処理情報を受信することを特徴とする請求項１８に記載の移動通信システム。
【請求項２０】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の振幅差又は位相差の少なくとも一方を示す差情報であり、
前記第２の基地局は、前記差情報を前記第１の基地局に送信し、
前記受信部は、前記第２の基地局から前記差情報を受信することを特徴とする請求項１３に記載の移動通信システム。
【請求項２１】
前記干渉レプリカ信号の生成に使用される情報は、前記ユーザ端末が前記第２の基地局から受信する参照信号についての受信電力を示す受信電力情報であり、
前記ユーザ端末は、前記受信電力情報を前記第２の基地局に送信し、
前記第２の基地局は、前記受信電力情報を前記第１の基地局に転送し、
前記受信部は、前記第２の基地局から前記受信電力情報を受信することを特徴とする請求項１３に記載の移動通信システム。
【請求項２２】
前記干渉レプリカ信号の生成に使用される情報は、前記ユーザ端末が前記第２の基地局から受信する参照信号についての受信電力を示す受信電力情報であり、
前記ユーザ端末は、前記受信電力情報を前記第１の基地局に送信し、
前記受信部は、前記ユーザ端末から前記受信電力情報を受信することを特徴とする請求項１３に記載の移動通信システム。
【請求項２３】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の電力差を示す電力差情報であり、
前記ユーザ端末は、前記電力差情報を前記第１の基地局に送信し、
前記受信部は、前記ユーザ端末から前記電力差情報を受信することを特徴とする請求項１３に記載の移動通信システム。
【請求項２４】
前記干渉波信号は、物理下りリンク共有チャネル上で送信されるデータ信号を含み、
前記干渉レプリカ信号の生成に使用される情報は、前記第２の基地局が送信する参照信号と前記データ信号との間の電力差を示す電力差情報であり、
前記第２の基地局は、前記電力差情報を前記第１の基地局に送信し、
前記受信部は、前記第２の基地局から前記電力差情報を受信することを特徴とする請求項１３に記載の移動通信システム。
【請求項２５】
前記干渉レプリカ信号の生成に使用される情報は、前記第１の基地局から前記ユーザ端末までの遅延時間と、前記第２の基地局から前記ユーザ端末までの遅延時間と、の間の遅延時間差を示す時間差情報であり、
前記ユーザ端末は、前記時間差情報を前記第１の基地局に送信し、
前記受信部は、前記ユーザ端末から前記時間差情報を受信することを特徴とする請求項１３に記載の移動通信システム。
【請求項２６】
前記干渉レプリカ信号の生成に使用される情報は、前記第２の基地局と前記ユーザ端末との間のチャネル特性を示すチャネル情報であり、
前記受信部は、前記第２の基地局及び前記ユーザ端末のうち少なくとも一方から前記チャネル情報を受信し、
前記制御部は、前記受信部が受信した前記チャネル情報に基づいて、前記干渉レプリカ信号を生成することを特徴とする請求項１３に記載の移動通信システム。
【請求項２７】
前記ユーザ端末は、前記第２の基地局から受信した参照信号に基づいて前記チャネル情報を生成し、生成したチャネル情報を前記第１の基地局に送信し、
前記受信部は、前記ユーザ端末から前記チャネル情報を受信することを特徴とする請求項２６に記載の移動通信システム。
【請求項２８】
前記ユーザ端末は、前記第２の基地局から受信した参照信号に基づいて前記チャネル情報を生成し、生成したチャネル情報を前記第２の基地局に送信し、
前記第２の基地局は、前記ユーザ端末からの前記チャネル情報を前記第１の基地局に転送し、
前記受信部は、前記第２の基地局から前記チャネル情報を受信することを特徴とする請求項２６に記載の移動通信システム。
【請求項２９】
前記第１の基地局は、チャネル特性の推定対象とすべきセルを示すセル指定情報を前記ユーザ端末に送信し、
前記ユーザ端末は、前記セル指定情報が示すセルについてチャネル特性を推定することにより、前記チャネル情報を生成することを特徴とする請求項２７又は２８に記載の移動通信システム。
【請求項３０】
前記第２の基地局は、前記ユーザ端末から受信した参照信号に基づいて前記チャネル情報を生成し、生成したチャネル情報を前記第１の基地局に送信し、
前記受信部は、前記第２の基地局から前記チャネル情報を受信することを特徴とする請求項２６に記載の移動通信システム。
【請求項３１】
前記第１の基地局は、チャネル特性の推定対象とすべきユーザ端末を示す端末指定情報を前記第２の基地局に送信し、
前記第２の基地局は、前記端末指定情報が示す前記ユーザ端末についてチャネル特性を推定することにより、前記チャネル情報を生成することを特徴とする請求項３０に記載の移動通信システム。
【請求項３２】
前記第１の基地局は、前記ユーザ端末が送信する前記参照信号を復調するための復調用情報を前記第２の基地局に送信し、
前記第２の基地局は、前記復調用情報を用いて前記参照信号を復調することにより、前記チャネル情報を生成することを特徴とする請求項３０に記載の移動通信システム。
【請求項３３】
サービングセルからの希望波信号を受信するとともに、他のユーザ端末への信号である干渉波信号を受信するユーザ端末と、前記サービングセルを管理する第１の基地局と、を有する移動通信システムにおいて用いられる通信制御方法であって、
前記第１の基地局において、
前記干渉波信号に対応する干渉レプリカ信号を生成する生成ステップと、
前記干渉レプリカ信号を前記希望波信号に重畳する重畳ステップと、
前記干渉レプリカ信号が重畳された前記希望波信号を前記ユーザ端末に送信する送信ステップと、を含み、
前記生成ステップにおいて、前記ユーザ端末が受信する前記干渉レプリカ信号が、前記ユーザ端末が受信する前記干渉波信号を打ち消すように、前記干渉レプリカ信号を生成することを特徴とする通信制御方法。
【請求項３４】
前記移動通信システムは、前記サービングセルに隣接し前記他のユーザ端末が接続する隣接セルを管理する第２の基地局と、前記第１の基地局及び前記第２の基地局を管理する管理装置と、をさらに有し、
前記通信制御方法は、
前記第１の基地局において、
前記干渉レプリカ信号の生成に使用される情報を、前記第２の基地局、前記管理装置、及び前記ユーザ端末のうち少なくとも１つから受信する受信ステップを含み、
前記生成ステップにおいて、前記受信ステップで受信した情報に基づいて前記干渉レプリカ信号を生成することを特徴とする請求項３３に記載の通信制御方法。
【請求項３５】
前記干渉レプリカ信号の生成に使用される情報は、前記第２の基地局と前記ユーザ端末との間のチャネル特性を示すチャネル情報であることを特徴とする請求項３４に記載の通信制御方法。
【請求項３６】
サービングセルからの希望波信号を受信するとともに、他のユーザ端末への信号である干渉波信号を受信するユーザ端末を有する移動通信システムにおいて、前記サービングセルを管理する基地局であって、
前記干渉波信号に対応する干渉レプリカ信号を生成し、前記干渉レプリカ信号を前記希望波信号に重畳する制御部と、
前記干渉レプリカ信号が重畳された前記希望波信号を前記ユーザ端末に送信する送信部と、を含み、
前記制御部は、前記ユーザ端末が受信する前記干渉レプリカ信号が、前記ユーザ端末が受信する前記干渉波信号を打ち消すように、前記干渉レプリカ信号を生成することを特徴とする基地局。
【請求項３７】
前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信する受信部をさらに含み、
前記制御部は、前記受信部が受信した情報に基づいて前記干渉レプリカ信号を生成することを特徴とする請求項３６に記載の基地局。
【請求項３８】
前記干渉レプリカ信号の生成に使用される情報は、前記他基地局と前記ユーザ端末との間のチャネル特性を示すチャネル情報であることを特徴とする請求項３７に記載の基地局。
【請求項３９】
サービングセルからの希望波信号を受信するとともに、前記サービングセルに隣接する隣接セルからの干渉波信号を受信するユーザ端末を有する移動通信システムにおいて、前記隣接セルを管理する基地局であって、
前記サービングセルを管理する他基地局は、前記干渉波信号に対応する干渉レプリカ信号を前記希望波信号に重畳して送信しており、
前記基地局は、前記干渉レプリカ信号の生成に使用される情報を、前記他基地局に送信する送信部を含むことを特徴とする基地局。
【請求項４０】
前記干渉レプリカ信号の生成に使用される情報は、前記基地局と前記ユーザ端末との間のチャネル特性を示すチャネル情報であることを特徴とする請求項３９に記載の基地局。
【請求項４１】
サービングセルからの希望波信号を受信するとともに、他のユーザ端末への信号である干渉波信号を受信するユーザ端末であって、
前記サービングセルを管理する第１の基地局は、前記干渉波信号に対応する干渉レプリカ信号を前記希望波信号に重畳して送信しており、
前記ユーザ端末は、前記干渉レプリカ信号の生成に使用される情報を、前記第１の基地局に送信する送信部を含むことを特徴とするユーザ端末。
【請求項４２】
前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報であることを特徴とする請求項４１に記載のユーザ端末。
【請求項４３】
サービングセルからの希望波信号を受信するとともに、他のユーザ端末への信号である干渉波信号を受信するユーザ端末を有する移動通信システムにおいて、前記サービングセルを管理する基地局に備えられるプロセッサであって、
前記干渉波信号に対応する干渉レプリカ信号を生成する生成処理と、
前記干渉レプリカ信号を前記希望波信号に重畳する重畳処理と、
前記干渉レプリカ信号が重畳された前記希望波信号を前記ユーザ端末に送信するための送信処理と、を実行し、
前記生成処理において、前記ユーザ端末が受信する前記干渉レプリカ信号が、前記ユーザ端末が受信する前記干渉波信号を打ち消すように、前記干渉レプリカ信号を生成することを特徴とするプロセッサ。
【請求項４４】
前記干渉レプリカ信号の生成に使用される情報を、前記サービングセルに隣接し前記他のユーザ端末が接続する隣接セルを管理する他基地局、前記基地局及び前記他基地局を管理する管理装置、及び前記ユーザ端末のうち、少なくとも１つから受信するための受信処理をさらに実行し、
前記生成処理において、前記受信した情報に基づいて前記干渉レプリカ信号を生成することを特徴とする請求項４３に記載のプロセッサ。
【請求項４５】
前記干渉レプリカ信号の生成に使用される情報は、前記他基地局と前記ユーザ端末との間のチャネル特性を示すチャネル情報であることを特徴とする請求項４４に記載のプロセッサ。
【請求項４６】
サービングセルからの希望波信号を受信するとともに、前記サービングセルに隣接する隣接セルからの干渉波信号を受信するユーザ端末を有する移動通信システムにおいて、前記隣接セルを管理する基地局に備えられるプロセッサであって、
前記サービングセルを管理する他基地局は、前記干渉波信号に対応する干渉レプリカ信号を前記希望波信号に重畳して送信しており、
前記プロセッサは、前記干渉レプリカ信号の生成に使用される情報を、前記他基地局に送信するための処理を行うことを特徴とするプロセッサ。
【請求項４７】
前記干渉レプリカ信号の生成に使用される情報は、前記基地局と前記ユーザ端末との間のチャネル特性を示すチャネル情報であることを特徴とする請求項４６に記載のプロセッサ。
【請求項４８】
サービングセルからの希望波信号を受信するとともに、他のユーザ端末への信号である干渉波信号を受信するユーザ端末に備えられるプロセッサであって、
前記サービングセルを管理する第１の基地局は、前記干渉波信号に対応する干渉レプリカ信号を前記希望波信号に重畳して送信しており、
前記プロセッサは、前記干渉レプリカ信号の生成に使用される情報を、前記第１の基地局に送信するための処理を行うことを特徴とするプロセッサ。
【請求項４９】
前記干渉レプリカ信号の生成に使用される情報は、前記サービングセルに隣接し前記他のユーザ端末が接続する隣接セルを管理する第２の基地局と前記ユーザ端末との間のチャネル特性を示すチャネル情報であることを特徴とする請求項４８に記載のプロセッサ。
【手続補正２】
【補正対象書類名】明細書
【補正対象項目名】０１５６
【補正方法】変更
【補正の内容】
【０１５６】
ステップＳ１１０７において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【手続補正３】
【補正対象書類名】明細書
【補正対象項目名】０１８５
【補正方法】変更
【補正の内容】
【０１８５】
ステップＳ１２０８において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【手続補正４】
【補正対象書類名】明細書
【補正対象項目名】０１９６
【補正方法】変更
【補正の内容】
【０１９６】
ステップＳ１３０８において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【手続補正５】
【補正対象書類名】明細書
【補正対象項目名】０２１２
【補正方法】変更
【補正の内容】
【０２１２】
ステップＳ１４１２において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。
【手続補正６】
【補正対象書類名】明細書
【補正対象項目名】０２２５
【補正方法】変更
【補正の内容】
【０２２５】
ステップＳ１５１１において、ｅＮＢ２００−２は、ＵＥ１００−２に対する送信を行う。ＵＥ１００−１は、ｅＮＢ２００−２からの信号を干渉波信号として受信する。一方、ｅＮＢ２００−１は、ＵＥ１００−１に対する重畳信号の送信を行う。ＵＥ１００−１は、重畳信号を受信する。ここで、重畳信号に含まれる干渉レプリカ信号により、干渉波信号がキャンセルされる。 
【手続補正７】
【補正対象書類名】図面
【補正対象項目名】図４
【補正方法】変更
【補正の内容】
【図４】
2014098187.tif 000027
【手続補正８】
【補正対象書類名】図面
【補正対象項目名】図８
【補正方法】変更
【補正の内容】
【図８】
2014098187.tif 000028
【国際調査報告】
2014098187.tif 000029
2014098187.tif 000030